(57)【要約】本発明は、新しいオペレーションネットワークにアクセスするＷＬＡＮ  ＵＥの対話型方法を明確にし、：在圏モバイル通信ネットワークにアクセスしているＷＬＡＮ  ＵＥは、アクセスするために、他の在圏モバイル通信ネットワークの再選択が必要であり、ＷＬＡＮ  ＵＥのホームネットワークに認証情報を送信しているＷＬＡＮ  ＵＥはＷＬＡＮアクセスネットワークとＷＬＡＮ  ＵＥによって新規選択された在圏モバイル通信ネットワークを介してＷＬＡＮ  ＵＥのホームネットワークに認証情報を送信する、； 認証情報を受信した後、ＷＬＡＮ  ＵＥのホームネットワークはＷＬＡＮ  ＵＥによって新規選択された在圏モバイル通信ネットワークを介して、認証情報によりＷＬＡＮ  ＵＥを認証し、そして在圏モバイル通信ネットワークを介して、ＷＬＡＮアクセスネットワークにアクセス命令を送信する、；そしてアクセス命令を受信すると、ＷＬＡＮアクセスネットワークはＷＬＡＮ  ＵＥと対応する在圏モバイル通信ネットワーク間の切断と／またはアクセスを完了する。その方法は、在圏モバイル通信ネットワークをアクセスした後、ＷＬＡＮ  ＵＥが他の在圏モバイル通信ネットワークを再選択することを可能にする、ことを含む。【選択図】図５
2007522714.tif 000002
【特許請求の範囲】
【請求項１】
新しい通信ネットワークにアクセスするワイヤレスローカルエリアネットワーク（ＷＬＡＮ）の移動端末（ＵＥ）の対話型方法であって、
第１の在圏移動体通信ネットワークにアクセスしているＷＬＡＮ  ＵＥが第２の在圏移動体通信ネットワークとのアクセスを必要とする場合、ＷＬＡＮ  ＵＥは、ＷＬＡＮアクセスネットワークと第２の在圏移動体通信ネットワークとを介してＷＬＡＮ  ＵＥが位置するホームネットワークに認証情報を送信し、
認証情報を受信すると、ホームネットワークは、認証情報によりＷＬＡＮ  ＵＥを認証し、第２の在圏移動体通信ネットワークを介してＷＬＡＮアクセスネットワークにアクセス命令を送信し、
ＷＬＡＮ  ＵＥ及び対応する在圏移動体通信ネットワーク間で切断及び／またはアクセスを完了する、
ことを含む方法。
【請求項２】
ホームネットワークがＷＬＡＮ  ＵＥを認証する前に、ＷＬＡＮ  ＵＥのホームネットワークが、ＷＬＡＮ  ＵＥがアクセスしている在圏移動体通信ネットワークに切断メッセージを送信し、ＷＬＡＮ  ＵＥ及びＷＬＡＮ  ＵＥがアクセスしている在圏移動体通信ネットワーク間の接続を切断する、ことを更に含み、
アクセス命令を送信するステップは、ホームネットワークがＷＬＡＮ  ＵＥによって新規選択された在圏移動体通信ネットワークを介してＷＬＡＮアクセスネットワークにアクセス許可メッセージかアクセス拒絶メッセージを送信する、ことを含み、
ＷＬＡＮ  ＵＥ及び対応する在圏移動体通信ネットワーク間の切断及び／またはアクセスを完了するステップは、ＷＬＡＮアクセスネットワークが、アクセス許可メッセージを受信したかどうかを判定し、もしそうならば、ＷＬＡＮ  ＵＥ及びＷＬＡＮ  ＵＥによって新規選択された在圏移動体通信ネットワーク間の接続を確立し、ＷＬＡＮ  ＵＥによって新規選択された在圏移動体通信ネットワークに対してＷＬＡＮ  ＵＥのアクセスを完了し、さもなければ、ＷＬＡＮ  ＵＥにアクセス拒絶メッセージを転送する、ことを更に含む
請求項１に記載の方法。
【請求項３】
ホームネットワークがＷＬＡＮ  ＵＥを認証する前に、同時に複数の在圏移動体通信ネットワークにアクセスすることをＷＬＡＮ  ＵＥが許可されたかどうかを判定し、もしそうならば、ＷＬＡＮ  ＵＥのホームネットワークが、ＷＬＡＮ  ＵＥがアクセスしている在圏移動体通信ネットワークに切断メッセージを送信するかどうかを決定し、さもなければ、ＷＬＡＮ  ＵＥのホームネットワークが、ＷＬＡＮ  ＵＥがアクセスしている在圏移動体通信ネットワークに切断メッセージを送信し、ＷＬＡＮ  ＵＥ及びＷＬＡＮ  ＵＥがアクセスしている在圏移動体通信ネットワーク間の接続を切断する、ことを更に含む請求項２に記載の方法。
【請求項４】
ホームネットワークがＷＬＡＮ  ＵＥを認証する前に、ホームネットワークが、ＷＬＡＮ  ＵＥによって新規選択された在圏移動体通信ネットワークからの認証要求に対して認証を許可するかどうかを判定し、もし許可されるならば、ＷＬＡＮ  ＵＥによって新規選択された在圏移動体通信ネットワークからの認証要求に対して認証オペレーションを継続し、
もし許可されないならば、アクセス命令を送信するステップは、
ホームネットワークが、ＷＬＡＮ  ＵＥによって新規選択された在圏移動体通信ネットワークを介してＷＬＡＮアクセスネットワークにアクセス拒絶メッセージを送信する、ことを含み、
ＷＬＡＮ  ＵＥ及び対応する在圏移動体通信ネットワーク間の切断及び／またはアクセスを完了するステップは、ＷＬＡＮアクセスネットワークがＷＬＡＮ  ＵＥにアクセス拒絶メッセージを転送する、ことを含む
請求項１に記載の方法。
【請求項５】
判定ステップは、同時に複数の在圏移動体通信ネットワークとアクセスすることをＷＬＡＮ  ＵＥに許可するかどうかを判定し、もし許可されると、第２の在圏移動体通信ネットワークからの認証要求に対して認証を許可するかどうかを判定し、そして、もし認証要求に対して認証が許可されないならば、第２の在圏移動体通信ネットワークからの認証要求に対する認証は、許可されない、ことを更に含む請求項４に記載の方法。
【請求項６】
アクセス拒絶メッセージが拒絶理由を含む情報を更に運ぶ、請求項２または４に記載の方法。
【請求項７】
ＷＬＡＮ  ＵＥに対する認証が成功した後、アクセス命令を送信するステップは、ホームネットワークが、ＷＬＡＮ  ＵＥによって新規選択された在圏移動体通信ネットワークを介してＷＬＡＮアクセスネットワークにアクセス許可メッセージを送信する、ことを含み、
ＷＬＡＮ  ＵＥ及び対応する在圏移動体通信ネットワーク間の切断及び／またはアクセスを完了するステップは、受信したアクセス許可メッセージにより、ＷＬＡＮアクセスネットワークが、ＷＬＡＮ  ＵＥ及びＷＬＡＮ  ＵＥによって新規選択された在圏移動体通信ネットワーク間の接続を確立し、ＷＬＡＮ  ＵＥ及びＷＬＡＮ  ＵＥによって新規選択された在圏移動体通信ネットワークのアクセスを完了する、ことを含む
請求項１に記載の方法。
【請求項８】
ＷＬＡＮ  ＵＥによって新規選択された在圏移動体通信ネットワークにアクセス許可メッセージを送信している間、ホームネットワークは、ＷＬＡＮ  ＵＥがアクセスしている在圏移動体通信ネットワークを介してＷＬＡＮアクセスネットワークに切断メッセージを送信し、
ＷＬＡＮ  ＵＥ及び対応している在圏移動体通信ネットワーク間の切断及び／またはアクセスを完了するステップは、ＷＬＡＮ  ＵＥ及びＷＬＡＮ  ＵＥがアクセスしている在圏移動体通信ネットワーク間の接続を切断する、ことをさらに含む
請求項７に記載の方法。
【請求項９】
ＷＬＡＮ  ＵＥがアクセスしている在圏移動体通信ネットワークを介してＷＬＡＮアクセスネットワークに切断メッセージを送信する前に、ＷＬＡＮ  ＵＥが同時に複数の在圏移動体通信ネットワークとアクセスすることを許可するかどうかを判定し、もしそうならば、ＷＬＡＮ  ＵＥのホームネットワークは、ユーザー選択によりＷＬＡＮ  ＵＥがアクセスしている在圏移動体通信ネットワークに切断メッセージが送信されるかどうかを決定し、さもなければ、ホームネットワークは、ＷＬＡＮ  ＵＥがアクセスしている在圏移動体通信ネットワークを介してＷＬＡＮアクセスネットワークに切断メッセージを送信する、ことを更に含む請求項７に記載の方法。
【請求項１０】
ＷＬＡＮ  ＵＥがアクセスしている在圏移動体通信ネットワークを介してＷＬＡＮ  ＵＥのために再認証を実行する、及び／または、複数の接続がＷＬＡＮ  ＵＥに存在していることをＷＬＡＮ  ＵＥに通知するために、通告情報を送信する、または何もしない、ことを更に含む請求項７に記載の方法。
【請求項１１】
ＷＬＡＮ  ＵＥに対して認証が成功した後、アクセス命令を送信するステップは、ホームネットワークが、ＷＬＡＮ  ＵＥによって新規選択された在圏移動体通信ネットワークを介してＷＬＡＮアクセスネットワークにアクセス許可メッセージを送信する、ことを含み、
ＷＬＡＮ  ＵＥ及び対応する在圏移動体通信ネットワーク間の切断及び／またはアクセスを完了するステップは、アクセス許可メッセージを受信した後、ＷＬＡＮアクセスネットワークが、ＷＬＡＮ  ＵＥ及びＷＬＡＮ  ＵＥによって新規選択された在圏移動体通信ネットワーク間の接続を確立し、ＷＬＡＮ  ＵＥ及びＷＬＡＮ  ＵＥによって新規選択された在圏移動体通信ネットワークのアクセスを完了し、ＷＬＡＮ  ＵＥ及びＷＬＡＮ  ＵＥがアクセスしている在圏移動体通信ネットワーク間の接続を切断する、ことを含む
請求項１に記載の方法。
【請求項１２】
ＷＬＡＮアクセスネットワークがＷＬＡＮ  ＵＥ及びＷＬＡＮ  ＵＥによって新規選択された在圏移動体通信ネットワークのアクセスを完了した後、ＷＬＡＮ  ＵＥが、同時に複数の在圏移動体通信ネットワークにアクセスすることを許可されるかどうかを判定し、もしそうならば、ＷＬＡＮアクセスネットワークが、ＷＬＡＮ  ＵＥがアクセスしている在圏移動体通信ネットワークに切断メッセージを送信するかどうかを決定し、さもなければ、ＷＬＡＮ  ＵＥ及びＷＬＡＮ  ＵＥがアクセスしている在圏移動体通信ネットワーク間の接続を切断する、ことを更に含む請求項１１に記載の方法。
【請求項１３】
ＷＬＡＮ  ＵＥが同時に複数の在圏移動体通信ネットワークとのアクセスを許可され、ＷＬＡＮ  ＵＥのホームネットワークが、ＷＬＡＮ  ＵＥがアクセスしている在圏移動体通信ネットワークに切断メッセージを送信しないことを決定する場合、ＷＬＡＮ  ＵＥがアクセスしている在圏移動体通信ネットワークを介してＷＬＡＮ  ＵＥを再認証する、及び／または、複数接続の存在をＷＬＡＮ  ＵＥに通知するため、通告情報を送信する、または何もしない、ことをさらに含む請求項３、９または１２の何れか１項に記載の方法。
【請求項１４】
ＷＬＡＮ  ＵＥの許可された同時接続最大値が予めセットされ、ＷＬＡＮ  ＵＥが同時に複数の在圏移動体通信ネットワークへのアクセスを許可されるならば、目下の接続数が同時接続最大値を上回るかどうかを判定し、もし上回らないならば、以降のオペレーションを継続し、さもなければ、直接、当該接続の認証要求を拒絶するか、当該接続の認証要求を配給し、目下のＷＬＡＮ  ＵＥに１または複数ある接続を切断することを通知する、ことを更に含む請求項３、５、９または１２の何れか１項に記載の方法。
【請求項１５】
１または複数の接続を切断することをＷＬＡＮ  ＵＥに通知した後、ネットワークが、対応するアクセスされた在圏移動体通信ネットワークを切断するか、相関選択情報により、ＷＬＡＮ  ＵＥによって新規選択された在圏移動体通信ネットワークを拒絶する、ことを更に含む請求項１４に記載の方法。
【請求項１６】
ＷＬＡＮ  ＵＥへの認証が成功した場合、ＷＬＡＮ  ＵＥ及び対応する在圏移動体通信ネットワーク間の切断とアクセスを完了するステップは、
ｃ１．ＷＬＡＮアクセスネットワークが、ＷＬＡＮ  ＵＥによって新規選択された在圏移動体通信ネットワークからのアクセス許可メッセージが最初に受信したかどうかを判定し、もしそうならば、ステップｃ２に進み、切断メッセージを最初に受信したならば、ステップｃ３に進み、
ｃ２．ＷＬＡＮ  ＵＥが、アクセスしている在圏移動体通信ネットワークに課金情報を収集及び送信し、そして、ＷＬＡＮ  ＵＥ及びＷＬＡＮ  ＵＥがアクセスしている在圏移動体通信ネットワーク間の接続を切断し、そして、ＷＬＡＮ  ＵＥ及びＷＬＡＮ  ＵＥによって新規選択された在圏移動体通信ネットワーク間の接続を確立し、ＷＬＡＮ  ＵＥ及びＷＬＡＮ  ＵＥによって新規選択された在圏移動体通信ネットワークのアクセスを完了し、当該再選択プロセスを完了し、
ｃ３．ＷＬＡＮ  ＵＥにアクセスしている在圏移動体通信ネットワークに課金情報を収集及び送信し、そして、ＷＬＡＮ  ＵＥ及びＷＬＡＮ  ＵＥがアクセスしている在圏移動体通信ネットワーク間の接続を切断し、ＷＬＡＮ  ＵＥによって新規選択された在圏移動体通信ネットワークからのアクセス許可メッセージを待機し、そして、アクセス許可メッセージを受信した後、ＷＬＡＮ  ＵＥ及びＷＬＡＮ  ＵＥによって新規選択された在圏移動体通信ネットワーク間の接続を確立し、ＷＬＡＮ  ＵＥ及びＷＬＡＮ  ＵＥによって新規選択された在圏移動体通信ネットワークのアクセスを完了する、
ことを含む請求項７、８または９の何れか１項に記載の方法。
【請求項１７】
ステップｃ３の前に、受信した切断メッセージが、成功した認証のために発生されたかどうかを判定し、もしそうならば、ＷＬＡＮ  ＵＥによって新規選択された在圏移動体通信ネットワークからのアクセス許可メッセージを待機し、アクセス許可メッセージを受信した後、ＷＬＡＮ  ＵＥがアクセスしている在圏移動体通信ネットワークに課金情報を収集及び送信し、ＷＬＡＮ  ＵＥ及びＷＬＡＮ  ＵＥがアクセスしている在圏移動体通信ネットワーク間の接続を切断し、そして、ＷＬＡＮ  ＵＥ及びＷＬＡＮ  ＵＥによって新規選択された在圏移動体通信ネットワーク間の接続を確立し、ＷＬＡＮ  ＵＥ及びＷＬＡＮ  ＵＥによって新規選択された在圏移動体通信ネットワークのアクセスを完了し、さもなければ、ステップｃ３に続く、
ことを含む請求項１６に記載の方法。
【請求項１８】
ＷＬＡＮ  ＵＥへの認証が失敗した場合、アクセス命令を送信するステップは、
ホームネットワークが、ＷＬＡＮ  ＵＥがアクセスしている在圏移動体通信ネットワークを介してＷＬＡＮアクセスネットワークに切断メッセージを送信し、ＷＬＡＮ  ＵＥによって新規選択された在圏移動体通信ネットワークを介してＷＬＡＮアクセスネットワークにアクセス拒絶メッセージを送信する、ことを含み、
ＷＬＡＮ  ＵＥ及び対応する在圏移動体通信ネットワーク間の切断及び／またはアクセスを完了するステップは、ＷＬＡＮアクセスネットワークが、受信された切断メッセージによりＷＬＡＮ  ＵＥ及びＷＬＡＮ  ＵＥがアクセスしている在圏移動体通信ネットワーク間の接続を切断し、受信されたアクセス拒絶メッセージによりＷＬＡＮ  ＵＥにアクセス拒絶メッセージを転送する、ことを含む
請求項１、７、８、９、１１または１２の何れか１項に記載の方法。
【請求項１９】
ＷＬＡＮ  ＵＥの認証が失敗した場合、アクセス命令を送信するステップは、
ホームネットワークが、ＷＬＡＮ  ＵＥによって新規選択された在圏移動体通信ネットワークを介してＷＬＡＮアクセスネットワークにアクセス拒絶メッセージを送信する、ことを含み、
ＷＬＡＮ  ＵＥ及び対応する在圏移動体通信ネットワーク間の切断及び／またはアクセスを完了するステップは、ＷＬＡＮアクセスネットワークが、受信されたアクセス拒絶メッセージによりＷＬＡＮ  ＵＥにアクセス拒絶メッセージを転送する、ことを含む
請求項１、７、８、９、１１または１２の何れか１項に記載の方法。
【請求項２０】
ＷＬＡＮ  ＵＥの認証が失敗した場合、アクセス命令を送信するステップは、
ホームネットワークが、ＷＬＡＮ  ＵＥによって新規選択された在圏移動体通信ネットワークを介してＷＬＡＮアクセスネットワークにアクセス拒絶メッセージを送信し、そして、ＷＬＡＮ  ＵＥがアクセスしている在圏移動体通信ネットワークを介してＷＬＡＮアクセスネットワークに再認証要求を送信する、ことを含み、
ＷＬＡＮ  ＵＥ及び対応する在圏移動体通信ネットワーク間の切断及び／またはアクセスを完了するステップは、ＷＬＡＮアクセスネットワークが、受信したアクセス拒絶メッセージによりＷＬＡＮ  ＵＥにアクセス拒絶メッセージを転送し、ＷＬＡＮ  ＵＥがアクセスしている在圏移動体通信ネットワークからの再認証要求に対して再認証する、ことを含む
請求項１、７、８、９、１１または１２の何れか１項に記載の方法。
【請求項２１】
ＷＬＡＮ  ＵＥへの認証が失敗した場合、アクセス命令を送信するステップは、
ホームネットワークが、ＷＬＡＮ  ＵＥによって新規選択された在圏移動体通信ネットワークを介してＷＬＡＮアクセスネットワークに再認証要求メッセージを送信する、ことを含み、
ＷＬＡＮ  ＵＥ及び対応する在圏移動体通信ネットワーク間の切断及び／またはアクセスを完了するステップは、ＷＬＡＮアクセスネットワークが、ＷＬＡＮ  ＵＥによって新規選択された在圏移動体通信ネットワークからの再認証要求を再認証する、ことを含む
請求項１、７、８、９、１１または１２の何れか１項に記載の方法。
【請求項２２】
新規選択された在圏移動体通信ネットワークからアクセス許可メッセージを受信した場合、ＷＬＡＮ  ＵＥ及び対応する在圏移動体通信ネットワーク間の切断及び／またはアクセスを完了するステップは、ＷＬＡＮアクセスネットワークが、リソース配置とＷＬＡＮアクセスネットワークがＷＬＡＮ  ＵＥと新規選択された在圏移動体通信ネットワーク間の接続を確立したパラメータ構成が完了したことを、ＷＬＡＮ  ＵＥによって新規選択された在圏移動体通信ネットワークに通知し、未起動のまま接続状態をセットし、
ＷＬＡＮ  ＵＥ及びＷＬＡＮ  ＵＥがアクセスしている在圏移動体通信ネットワーク間の接続を切断した後、すぐにＷＬＡＮ  ＵＥ及び新規選択された在圏移動体通信ネットワーク間の確立した接続を起動する、ことを含む
請求項１に記載の方法。
【請求項２３】
在圏移動体通信ネットワークは、ＷＬＡＮ  ＵＥ及びそのホームネットワーク、またはＷＬＡＮ  ＵＥのホームネットワークと接続している中央オペレーションネットワークである、請求項１に記載の方法。
【請求項２４】
通信ネットワークは、移動体通信ネットワークである、請求項１または２３に記載の方法。
【請求項２５】
ＷＬＡＮ  ＵＥを認証するステップは、
ホームネットワークのＡＡＡサーバーがＷＬＡＮ  ＵＥによって新規選択された在圏移動体通信ネットワークからの認証要求に対して認証する、ことを含む請求項１に記載の方法。
【請求項２６】
通告情報を送信するステップは、或る既存の接続を介してＷＬＡＮ  ＵＥに通知を送信し、または、新規に確立した接続を介してＷＬＡＮ  ＵＥに通知を送信する、ことを含む請求項１３に記載の方法。
【請求項２７】
通知は、目下の接続総数及び／または接続の特定の選択情報を含む、請求項２６に記載の方法。
【発明の詳細な説明】
【技術分野】
【０００１】
本発明はオペレーションネットワーク選択技術に関するものであって、特に、新しいオペレーションネットワークを再選択するワイアレスローカルネットワーク（ＷＬＡＮ）の移動端末（ＵＥ）のための方法に関する。
【背景技術】
【０００２】
ワイアレスアクセスレートのユーザーの要求がますます高くなっており、時代の要求として、比較的小さなエリアで、データのより高いワイアレスアクセスレートを提供することができるＷＬＡＮが出現した。ＷＬＡＮは多種の技術を含み、それらで最も広範囲に用いられた技術標準規格はＩＥＥＥ８０２．１１ｂであり、それは２．４ＧＨｚの周波数帯と最高１１Ｍｂｐｓのデータ伝送レートを用いる。同じ周波数帯を用いている他の技術標準規格はＩＥＥＥ８０２．１１ｇとＢｌｕｅｔｏｏｔｈを含み、そこでの、ＩＥＥＥ８０２．１１ｇのデータ伝送レートは最高５４Ｍｂｐｓである。例えばＩＥＥＥ８０２．１１ａやＥＴＳＩ  ＢＲＡＮ  Ｈｉｐｅｒｌａｎ２のようなＷＬＡＮの他の新しい標準規格は、５ＧＨｚの周波数帯を用い、同様に最高５４Ｍｂｐｓ迄可能な伝送レートを用いる。
【０００３】
ＷＬＡＮは多種のワイアレスアクセス技術を含むが、大部分のＷＬＡＮ技術はＩＰデータパケットをデータ伝送するために用いる。ワイアレスＩＰネットワークによって採用された特定のＷＬＡＮアクセス技術は、通常上層ＩＰレベルに対して透過的である。そのようなワイアレスＩＰネットワークは、通常、ＷＬＡＮ  ＵＥのワイアレスアクセスを実行するために、アクセスポイント（ＡＰ）、ＩＰデータ伝送を実行するための制御、そして接続機器によって構成される。
【０００４】
ＷＬＡＮの出現と発展に伴って、ＷＬＡＮとＧＳＭ、ＣＤＭＡ、ＷＣＤＭＡ、ＴＤ−ＳＣＤＭＡ、ＣＤＭＡ２０００等の、様々なワイレス移動体通信ネットワークとのインターワーキング（相互接続）が、研究の焦点になっている。３ＧＧＰ（第３のＧｅｎｅｒａｔｉｏｎ    Ｐａｒｔｎｅｒ  Ｐｒｏｊｅｃｔ）標準規格によれば、ＷＬＡＮ  ＵＥは、ＷＬＡＮのアクセスネットワークを介して、インターネットとイントラネットに接続し得るだけでなく、ＷＬＡＮアクセスネットワークを介し、３ＧＰＰシステムのホームネットワークと在圏ネットワークに接続し得る。具体的には、ローカルでアクセスする場合は、図２で示すように、ＷＬＡＮ  ＵＥは、ＷＬＡＮアクセスネットワークを介して、３ＧＰＰホームネットワークに接続することができ、ローミングの場合は、ＷＬＡＮ  ＵＥは、ＷＬＡＮアクセスネットワークを介して、３ＧＰＰシステムの在圏ネットワークに接続し得る。そして、３ＧＰＰ在圏ネットワークのエンティティのいくつかが３ＧＧＰホームネットワークの対応するエンティティと接続される、例えば３ＧＰＰ在圏ネットワークの３ＧＰＰ認証、許可、アカウンティング（ＡＡＡ）プロキシが３ＧＰＰホームネットワークの３ＧＰＰ  ＡＡＡサーバーと接続すると、図１で示すように、３ＧＰＰ在圏ネットワークのＷＬＡＮアクセスゲート（ＷＡＧ）は、３ＧＰＰホームネットワークのパケットデータゲート（ＰＤＧ）等と接続される。そこで、図１と図２はそれぞれローミング及びノンローミング環境下でのＷＬＡＮシステムと３ＧＰＰシステムのインターワーキングネットワークの構造を示している。
【０００５】
図１及び図２で示すように、３ＧＰＰシステムは、主として加入者サーバー（ＨＳＳ）／ホームロケーションレジスタ（ＨＬＲ）、３ＧＰＰ  ＡＡＡサーバー、３ＧＰＰ  ＡＡＡプロキシ、ＷＡＧ、ＰＤＧ、課金ゲートウェイ（ＣＧｗ）／課金情報収集機能（ＣＣＦ）そして、オンライン課金システム（ＯＣＳ）を備える。ＷＬＡＮ  ＵＥ、ＷＬＡＮアクセスネットワークと３ＧＰＰシステムの全てのエンティティは、総合的に３ＧＰＰ−ＷＬＡＮインターワーキングネットワークを構成しており、それはＷＬＡＮサービスシステムとして用い得る。このサービスシステムでは、３ＧＰＰ  ＡＡＡサーバーはＷＬＡＮ  ＵＥの認証、認可とアカウンティングを担当し、ＷＬＡＮアクセスネットワークからの課金情報を収集し、課金システムに課金情報を送信する、;ＰＤＧは、ＷＬＡＮアクセスネットワークから３ＧＰＰネットワークまたは他のパケットスイッチングネットワークまで、ユーザーのデータ伝送を担当する、;そして、課金システムはネットワークから送信されるユーザーの課金情報の送信及び記録を担当し、ＯＣＳはユーザーに課金されたオンライン料金に従って、周期的にオンライン課金情報を送信するようにネットワークへ命令することを担当し、一方で統計を行い、ネットワークを制御する。
【０００６】
ノンローミングの場合、ＷＬＡＮ  ＵＥが直接、インターネット／イントラネットにアクセスしたい場合、認証がＷＬＡＮアクセスネットワークを介して、ＡＡＡサーバー（ＡＳ）で処理した後、ＷＬＡＮ  ＵＥは、ＷＬＡＮアクセスネットワークを介して、インターネット／イントラネットにアクセスし得る。もし、ＷＬＡＮ  ＵＥが同様に３ＧＰＰ  ＰＳドメインのサービスにアクセスしたいならば、３ＧＰＰホームネットワークからシナリオ３のサービスをさらに要求すべきであり、： ＷＬＡＮ  ＵＥは３ＧＰＰホームネットワークのＡＳにシナリオ３のサービス許可要求を送信し、ＡＳはサービス許可要求に対し認証と許可を配給する、もし認証と許可が成功していれば、ＡＳはＷＬＡＮ  ＵＥにアクセス許可メッセージを送って、ＷＬＡＮ  ＵＥに対応するＰＧＤを指定する、ことを含む。指定さられたＰＤＧでトンネルを確立した後に、ＷＬＡＮ  ＵＥは、３ＧＰＰ  ＰＳドメインサービスにアクセスし得る。同時に、ＣＧｗ／ＣＣＦとＯＣＳはＷＬＡＮ  ＵＥによるネットワークの使用に従って課金情報を記録する。ローミングの場合に、もしＷＬＡＮ  ＵＥが直接、インターネット／イントラネットにアクセスしたいならば、ＷＬＡＮ  ＵＥはインターネット／イントラネットにアクセスするために、３ＧＰＰ在圏ネットワークを介して、３ＧＰＰホームネットワークに要求するだろう。もし、ＷＬＡＮ  ＵＥが同様にシナリオ３のサービスを要求している３ＧＰＰ  ＰＳドメインサービスにアクセスしたいならば、ＷＬＡＮ  ＵＡは３ＧＰＰホームネットワークに、３ＧＰＰ圏内ネットワークを介して、サービス認証手順を開始する必要があり、同様に手順はＷＬＡＮ  ＵＥと３ＧＰＰホームネットワークのＡＳ間でも実行される。認証手順が成功した後、ＡＳはＷＬＡＮ  ＵＥに対応するホームＰＧＤを指定し、そして指定されたＰＤＧによるトンネルが３ＧＰＰアクセスネットワークのＷＡＧを介して確立され、ＷＬＡＮ  ＵＥは３ＧＰＰ  ＰＳドメインサービスにアクセスし得る。
【０００７】
３ＧＰＰ−ＷＬＡＮインターワーキングネットワークにおいて、もしＷＬＡＮ  ＵＥが、複数の移動体通信ネットワークを照会する複数の３ＧＰＰ在圏ネットワークに接続すれば、自身の要求によってアクセスするために適当な移動体通信ネットワークを選択しているＷＬＡＮ  ＵＥには、図３と図４に各々示すように、２つのスキームがある。図３は、アクセスするために、直接、移動体通信ネットワークを選択しているＷＬＡＮ  ＵＥを表示している成功したプロセスを表す、ことを含む：
【０００８】
ステップ３０１−３０３：ＷＬＡＮ  ＵＥとＷＬＡＮアクセスネットワーク、またはネットワーク、またはＷＬＡＮ  ＵＥ間の確立しているワイアレス接続がアクセス認証手順を開始した後、ＷＬＡＮアクセスネットワークはＷＬＡＮ  ＵＥにユーザーＩＤ要求パケットを送信する、;そして、要求パケットを受信した後に、ＷＬＡＮ  ＵＥは、ネットワーク選択情報をＷＬＡＮアクセスネットワークに伝えるユーザーＩＤ応答パケットを返信する。ここで、ネットワーク選択情報は、ＷＬＡＮネットワークと接続している移動体通信ネットワークの情報と、目下のＷＬＡＮ  ＵＥによってアクセスすることも、照会される、;ＷＬＡＮアクセスネットワークとＷＬＡＮ  ＵＥ間のアクセス認証手順は、拡張性認証プロトコル（ＥＡＰ）手順に基づかれる。一般に、ネットワーク選択情報は、ネットワークアクセスＩＤ（ＮＡＩ）フォーマットによって定義されるユーザーＩＤフィールドに伝える。
【０００９】
ステップ３０４−３０６：ＷＬＡＮ  ＵＥから送信されるパケットを受信した後に、ＷＬＡＮアクセスネットワークは、パケットのネットワーク選択情報がＷＬＡＮと接続している目下の移動体通信ネットワークに属しているかどうか判定し、もし属していれば、ＷＬＡＮアクセスネットワークは、ＮＡＩを介して、ＷＬＡＮ  ＵＥによって選択された移動体通信ネットワークの３ＧＰＰ ＡＡＡエージェント、または３ＧＰＰ ＡＡＡサーバーを決定し、それから、決定された３ＧＰＰ ＡＡＡエージェントまたは３ＧＰＰ ＡＡＡサーバーに、ユーザーＩＤとアクセス認証要求を送信し、３ＧＰＰ  ＡＡＡエージェント、または３ＧＰＰ ＡＡＡサーバーをアクセスしている目下のＷＬＡＮ  ＵＥも認証する、;もし認証が通過すれば、以降のアクセス手順は完了されるだろう。
【００１０】
図４は、最初の選択が失敗したとき、送信されたネットワーク選択情報によってアクセスするため、移動体通信ネットワークを再選択しているＷＬＡＮ  ＵＥを表示しているプロセスを示す、ことを含む、：
【００１１】
ステップ４０１−４０３：これらのステップは、全くステップ３０１−３０３と同じである。
【００１２】
ステップ４０４−４０５：ＷＬＡＮ  ＵＥから送信されたパケットを受信した後に、ＷＬＡＮアクセスネットワークが、パケットのネットワーク選択情報が目下のＷＬＡＮアクセスネットワークと接続している移動体通信ネットワークに属していないことに気付くと、ＷＬＡＮ  ＵＥに接続されている全ての移動体通信ネットワークの情報を含んでいるネットワーク通知信号を送信する。
【００１３】
ステップ４０６−４０７：信号を受信すると、ＷＬＡＮ  ＵＥは、情報信号に含まれる移動体通信ネットワークの情報によってアクセスするため、移動体通信ネットワークを再選択し、それから、ＷＬＡＮアクセスネットワークに、新規選択されたネットワークの選択情報を運ぶユーザーＩＤ応答パケットを送信する。
【００１４】
ステップ４０８−４０９：これらのステップは、全くステップ３０５−３０６と同じである。
【発明の開示】
【発明が解決しようとする課題】
【００１５】
ＷＬＡＮ  ＵＥにとって、３ＧＰＰ−ＷＬＡＮインターワーキングネットワークでアクセスネットワークを選択する、比較的全体の流れが上記スキームから理解し得る、ところが、或るＷＬＡＮアクセスネットワークが同時に、複数のＶＰＬＭＮに接続した場合や、或るＷＬＡＮ  ＵＥがＷＬＡＮアクセスネットワークを介して、これらのＶＰＬＭＮネットワークのうち1つにアクセスした後に、ＷＬＡＮ  ＵＥが、例えば課金、アクセスサービスの範囲等の異なる理由のため、接続している目下のＶＰＬＭＮネットワークを切断し、ＷＬＡＮアクセスネットワークと接続する他のＶＰＬＭＮネットワークを再選択する必要があるかもしれない、;または、目下のＷＬＡＮ  ＵＥは、ＶＰＬＭＮ1を介してサービスＡにアクセスし、同時に、ＶＰＬＭＮ２を介してサービスＢにアクセスすると考えるかもしれない。上記の問題を解決する特定のスキームは、現在提案されていない。
【課題を解決するための手段】
【００１６】
上記の説明により、本発明の主目的は、移動体通信ネットワークを再選択するＷＬＡＮ  ＵＥのための方法を提供することであり、或る在圏移動体通信ネットワークにアクセスした後にアクセスするため、ＷＬＡＮ  ＵＥに他の在圏移動体通信ネットワークを再選択させる。
【００１７】
上記の目的を達成するために、本発明の技術スキームは、以下のように実行される：
【００１８】
新しい移動体通信ネットワークにアクセスしているＷＬＡＮ  ＵＥの方法、を含む、：
【００１９】
在圏移動体通信ネットワークをアクセスしているＷＬＡＮ  ＵＥが、アクセスするために他の在圏移動体通信ネットワークを再選択する必要がある場合、ＷＬＡＮ  ＵＥはＷＬＡＮアクセスネットワークと、ＷＬＡＮ  ＵＥによってアクセスするために新規選択された在圏移動体通信ネットワークを介して、ＷＬＡＮ  ＵＥのホームネットワークに認証情報を送信する、;
【００２０】
新規選択された在圏移動体通信ネットワークを介して認証情報を受信すると、ＷＬＡＮ  ＵＥのホームネットワークは、ＷＬＡＮ  ＵＥを認証し、新規選択された在圏移動体通信ネットワークを介して、ＷＬＡＮアクセスネットワークにアクセス命令を送信する、;そして、
【００２１】
アクセス命令を受信すると、ＷＬＡＮアクセスネットワークは、ＷＬＡＮ  ＵＥと、対応する在圏移動体通信ネットワーク間の切断と／またはアクセスを完了する。
【００２２】
上記の方法を実行するためにいくつかの代替方法があり、それは以下の通りである、：
【００２３】
最初のケースは、ホームネットワークがＷＬＡＮ  ＵＥを認証する前に、： ＷＬＡＮ  ＵＥのホームネットワークは、ＷＬＡＮ  ＵＥがアクセスしている在圏移動体通信ネットワークに切断メッセージを送信し、ＷＬＡＮ  ＵＥとＷＬＡＮ  ＵＥがアクセスしている在圏移動体通信ネットワーク間の接続を切断する、; 方法を更に含む、
【００２４】
アクセス命令を送信し、：ホームネットワークは、ＷＬＡＮ  ＵＥによって新規選択された在圏移動体通信ネットワークを介して、ＷＬＡＮアクセスネットワークにアクセス許可メッセージまたはアクセス拒絶メッセージを送信する;ステップ、を含む、そして、
【００２５】
ＷＬＡＮ  ＵＥと対応する在圏移動体情報ネットワーク間の切断とアクセスを完了し、：ＷＬＡＮアクセスネットワークは、アクセス許可メッセージが受信されるかどうか判定し、もしそうならば、ＷＬＡＮ  ＵＥとＷＬＡＮ  ＵＥよって新規選択された在圏移動体通信ネットワーク間の接続を確立し、そしてＷＬＡＮ  ＵＥによって新規選択された在圏移動体通信ネットワークに、ＷＬＡＮ  ＵＥのアクセスを完了させる、;さもなければ、ＷＬＡＮ  ＵＥにアクセス拒絶メッセージを返信する、ステップ、を含む。
【００２６】
第２のケースは、ホームネットワークがＷＬＡＮ  ＵＥを認証する前に：ＷＬＡＮ  ＵＥが同時に複数の在圏移動体通信ネットワークへのアクセスを許可されるかどうかを判定し、もしそうならば、ＷＬＡＮ  ＵＥのホームネットワークは、ＷＬＡＮ  ＵＥがアクセスしている在圏移動体通信ネットワークに切断メッセージを送信するかどうか決定する、;さもなければ、ＷＬＡＮ  ＵＥのホームネットワークは、ＷＬＡＮ  ＵＥがアクセスしている在圏移動体通信ネットワークに切断メッセージを送信し、ＷＬＡＮ  ＵＥとＷＬＡＮ  ＵＥがアクセスしている在圏移動体通信ネットワーク間の接続を切断する、方法、を更に含む。
【００２７】
第３のケースは、ホームネットワークがＷＬＡＮ  ＵＥを認証する前に、：ホームネットワークが、ＷＬＡＮ  ＵＥに対し、ＷＬＡＮ  ＵＥによって新規選択された在圏移動体通信ネットワークへのアクセスを許可するかどうかを判定し、もし許可されるならば、ＷＬＡＮ  ＵＥによって新規選択された在圏移動体通信ネットワークからＷＬＡＮ  ＵＥに認証を継続する、;方法、を更に含む、
【００２８】
もし許可されないならば、アクセス命令を送信し、：ホームネットワークは、ＷＬＡＮ  ＵＥによって新規選択された在圏移動体通信ネットワークを介して、ＷＬＡＮアクセスネットワークにアクセス拒絶メッセージを送信する、;ステップ、を含む、そして、
【００２９】
ＷＬＡＮ  ＵＥと対応する在圏移動体通信ネットワーク間の切断と／またはアクセスを完了し、ＷＬＡＮアクセスネットワークがＷＬＡＮ  ＵＥにアクセス拒絶メッセージを返信する、ステップ、を含む。
【００３０】
ＷＬＡＮ  ＵＥに、同時に複数の在圏移動体通信ネットワークへのアクセスを許可するかどうかを決定し、もし許可するならば、ＷＬＡＮ  ＵＥに、ＷＬＡＮ  ＵＥによって新規選択された在圏移動体通信ネットワークへのアクセスを許可するかどうか判定する、;さもなければ、ＷＬＡＮ  ＵＥは、新規選択された在圏移動体通信ネットワークへのアクセスが許可されないと考える、判定のステップ、を更に含む。
【００３１】
アクセス拒絶メッセージはさらに、拒絶理由を示している情報も伝える。
【００３２】
第４のケースは、ＷＬＡＮ  ＵＥへの認証が成功した後、アクセス命令を送信し、：ホームネットワークは、ＷＬＡＮ  ＵＥによって新規選択された在圏移動体通信ネットワークを介して、ＷＬＡＮアクセスネットワークにアクセス許可メッセージを送信する、;ステップを含む、
【００３３】
ＷＬＡＮ  ＵＥと対応する在圏移動体通信ネットワーク間の切断と／またはアクセスを完了し、：受信したアクセス許可メッセージにより、ＷＬＡＮアクセスネットワークは、ＷＬＡＮ  ＵＥとＷＬＡＮ  ＵＥによって新規選択された在圏移動体通信ネットワーク間の接続を確立し、ＷＬＡＮ  ＵＥとＷＬＡＮ  ＵＥによって新規選択されたモバイル在圏通信ネットワークのアクセスを完了する、ステップを含む。
【００３４】
ＷＬＡＮ  ＵＥによって新規選択された在圏移動体通信ネットワークにアクセス許可メッセージを送信している間、ホームネットワークはＷＬＡＮ  ＵＥがアクセスしている在圏移動体通信ネットワークに切断メッセージを送信する、;
【００３５】
ＷＬＡＮ  ＵＥと対応する在圏移動体通信ネットワーク間の切断と／またはアクセスを完了し、：ＷＬＡＮ  ＵＥとＷＬＡＮ  ＵＥがアクセスしている在圏移動体通信ネットワーク間の接続を切断する、ステップ、を更に含む。
【００３６】
本スキームでは、ＷＬＡＮ  ＵＥがアクセスしている在圏移動体通信ネットワークを介して、ＷＬＡＮアクセスネットワークに切断メッセージを送信する前に、：ＷＬＡＮ  ＵＥに、同時に複数の在圏移動体通信ネットワークへのアクセスを許可するかどうか判定し、もしそうならば、ＷＬＡＮ  ＵＥのホームネットワークは、切断メッセージを、必要に応じてＷＬＡＮ  ＵＥがアクセスしている在圏移動体通信ネットワークに送信するかどうか決定する、;さもなければ、ホームネットワークは、ＷＬＡＮ  ＵＥがアクセスしている在圏移動体通信ネットワークを介して、ＷＬＡＮアクセスネットワークに切断メッセージを送信する、方法、を更に含む。
【００３７】
本スキームでは、：ＷＬＡＮ  ＵＥがアクセスしている在圏移動体通信ネットワークを介して、ＷＬＡＮ  ＵＥに再認証を実行する、; そして／またはＷＬＡＮ  ＵＥに複数の接続が存在することをＷＬＡＮ  ＵＥに通知するために通告情報を送信する、;または何もしない、方法、を更に含む。
【００３８】
第５のケースは、認証が成功した後、アクセス命令を送信し、：ホームネットワークがＷＬＡＮ  ＵＡによって新規選択された在圏移動体通信ネットワークを介して、ＷＬＡＮアクセスネットワークにアクセス許可メッセージを送信する、; ステップ、を含む、
【００３９】
ＷＬＡＮ  ＵＥと対応する在圏移動体通信ネットワーク間の切断と／またはアクセスを完了し、：受信したアクセス許可メッセージにより、ＷＬＡＮアクセスネットワークは、ＷＬＡＮ  ＵＥとＷＬＡＮ  ＵＥによって新規選択された在圏移動体通信ネットワーク間の接続を確立し、ＷＬＡＮ  ＵＥとＷＬＡＮ  ＵＥによって新規選択されたモバイル在圏通信ネットワークのアクセスを完了し、ＷＬＡＮ  ＵＥとＷＬＡＮ  ＵＥがアクセスしているモバイル在圏通信ネットワーク間の接続を切断する、ステップ、を含む。
【００４０】
ＷＬＡＮアクセスネットワークがＷＬＡＮ  ＵＥとＷＬＡＮ  ＵＥによって新規選択されたモバイル在圏通信ネットワークのアクセスを完了した後、：ＷＬＡＮ  ＵＥに同時に複数の在圏移動体通信ネットワークへのアクセスを許可するかどうか判定し、もしそうならば、ＷＬＡＮアクセスネットワークは、切断メッセージを、ＷＬＡＮ  ＵＥがアクセスしている在圏移動体通信ネットワークへ送信するかどうか決定する、;さもなければ、ＷＬＡＮ  ＵＥとＷＬＡＮ  ＵＥがアクセスしているモバイル在圏通信ネットワーク間の接続を切断する、方法、を更に含む。
【００４１】
上記スキームでは、ＷＬＡＮ  ＵＥは同時に複数の在圏移動体通信ネットワークへのアクセスを許可される、そして、切断メッセージはＷＬＡＮ  ＵＥがアクセスしている在圏移動体通信ネットワークに送信される必要はなく、：ＷＬＡＮ  ＵＥがアクセスしている在圏移動体通信ネットワークを介してＷＬＡＮ  ＵＥに再認証を実行する、;そして／またはＷＬＡＮ  ＵＥにＷＬＡＮ  ＵＥで複数の接続があることを通知するために通告情報を送信する、;または何もしない、方法、を更に含む。
【００４２】
そこで、アクセス命令を送信し、：既存の接続の一つを介してＷＬＡＮ  ＵＥに通知を送信するか、新規に確立した接続を介して、ＷＬＡＮ  ＵＥに通知を送信する、ステップ、を含む。目下の接続総数と／または接続の特定情報の通知、を含む。
【００４３】
上記スキームでは、ＷＬＡＮ  ＵＥの同時接続の最大許可値は予めセットされる、；ＷＬＡＮ  ＵＥが同時に複数の在圏移動体通信ネットワークにアクセスすることを許可された場合、：目下の同時接続数が同時接続の最大値を越えるかどうか判定し、もし越えないならば、以降のオペレーションを継続する、；さもなければ、直接、目下の接続認証要求を拒絶するか、目下の接続の認証要求を配給し、１または複数の既存の接続を選択及び除去することを目下のＷＬＡＮ  ＵＥに通知する、方法、を更に含む。
【００４４】
上記スキームで、ホームネットワークによって実行される新規選択された在圏モバイル情報ネットワークからの認証要求に対する認証が成功した場合、ＷＬＡＮ  ＵＥと対応する在圏移動体通信ネットワーク間の切断と／またはアクセスを完了し、：
ｃ１．ＷＬＡＮアクセスネットワークは最初にＷＬＡＮ  ＵＥにより新規選択された在圏移動体通信ネットワークからのアクセス許可メッセージが受信されるかどうか判定し、もしそうならば、ステップｃ２に進む、;もし切断メッセージが最初に受信されると、ステップｃ３に進む、；
ｃ２．ＷＬＡＮ  ＵＥはアクセスしている在圏移動体通信ネットワークに課金情報を収集及び送信し、ＷＬＡＮ  ＵＥは、ＷＬＡＮ  ＵＥがアクセスしている在圏移動体通信ネットワーク間の接続を切断する、；そして同時に、ＷＬＡＮ  ＵＥとＷＬＡＮ  ＵＥによって新規選択された在圏移動体通信ネットワーク間の接続を確立し、ＷＬＡＮ  ＵＥとＷＬＡＮ  ＵＥによって新規選択された在圏移動体通信ネットワークのアクセスを完了する、それで当該再選択プロセスを完了する。
ｃ３．ＷＬＡＮ  ＵＥがアクセスしている在圏モバイル情報ネットワークに課金情報を収集及び送信し、ＷＬＡＮ  ＵＥとＷＬＡＮ  ＵＥがアクセスしている在圏移動体通信ネットワーク間の接続を切断し、それからＷＬＡＮ  ＵＥによって新規選択された在圏移動体通信ネットワークからのアクセス許可メッセージを待機する、；そして、アクセス許可メッセージを受信した後、ＷＬＡＮ  ＵＥとＷＬＡＮ  ＵＥによって新規選択された在圏移動体通信ネットワーク間の接続を確立し、ＷＬＡＮ  ＵＥとＷＬＡＮ  ＵＥによって新規選択された在圏移動体通信ネットワークのアクセスを完了する、ステップを含む。
【００４５】
ステップｃ３の前に、：受信した切断メッセージが、成功した認証のために発生された切断メッセージであるかどうか判定し、もしそうであれば、ＷＬＡＮ  ＵＥによって新規選択された在圏移動体通信ネットワークからのアクセス許可メッセージを待機し、アクセス許可メッセージを受信した後、ＷＬＡＮ  ＵＥがアクセスしている在圏移動体通信ネットワークに課金情報を収集及び送信し、ＷＬＡＮ  ＵＥとＷＬＡＮ  ＵＥがアクセスしている在圏移動体通信ネットワーク間の接続を切断する、；そして同時にＷＬＡＮ  ＵＥとＷＬＡＮ  ＵＥによって新規選択された在圏移動体通信ネットワーク間の接続を確立し、ＷＬＡＮ  ＵＥとＷＬＡＮ  ＵＥによって新規選択された在圏移動体通信ネットワークのアクセスを完了する、；さもなければ、ステップｃ３を継続する、方法、を更に含む。
【００４６】
上記スキームでは、ホームネットワークによって実行される、新規選択された在圏移動体通信ネットワークからの認証要求に対する認証が失敗した場合、アクセス命令を送信し、：ホームネットワークはＷＬＡＮ  ＵＥがアクセスしている在圏移動体通信ネットワークを介して、ＷＬＡＮアクセスネットワークに切断メッセージを送信し、ＷＬＡＮ  ＵＥによって新規選択された在圏移動体通信ネットワークを介して、ＷＬＡＮアクセスネットワークにアクセス拒絶メッセージを送信する、ステップ、を含む、；ＷＬＡＮ  ＵＥと対応する在圏移動体通信ネットワーク間の切断とアクセスを完了し、：ＷＬＡＮアクセスネットワークは受信した切断メッセージにより、ＷＬＡＮ  ＵＥとＷＬＡＮ  ＵＥがアクセスしている在圏移動体通信ネットワーク間の接続を切断し、受信されたアクセス拒絶メッセージにより、ＷＬＡＮ  ＵＥにアクセス拒絶メッセージを返信する、ステップ、を含む。
【００４７】
上記スキームでは、ホームネットワークによって実行される、新規選択された在圏移動体通信ネットワークからのＷＬＡＮ  ＵＥに対する認証が失敗した場合、アクセス命令を送信し、：ホームネットワークはＷＬＡＮ  ＵＥによって新規選択された在圏移動体通信ネットワークを介して、ＷＬＡＮアクセスネットワークにアクセス拒絶メッセージを送信する、ステップ、を含む；ＷＬＡＮ  ＵＥと対応する在圏移動体通信ネットワーク間の切断と／またはアクセスを完了し、：ＷＬＡＮアクセスネットワークは受信したアクセス拒絶メッセージによりＷＬＡＮ  ＵＥにアクセス拒絶メッセージを返信する、ステップ、を含む。
【００４８】
上記スキームでは、ホームネットワークによって実行される、新規選択された在圏移動体通信ネットワークからのＷＬＡＮ  ＵＥに対する認証が失敗した場合、アクセス命令を送信し、： ホームネットワークはＷＬＡＮ  ＵＥによって新規選択された在圏移動体通信ネットワークを介して、ＷＬＡＮアクセスネットワークにアクセス拒絶メッセージを送信し、ＷＬＡＮ  ＵＥがアクセスしている在圏移動体通信ネットワークを介して、ＷＬＡＮアクセスネットワークに再認証要求を送信する、ステップ、を含む、；ＷＬＡＮ  ＵＥと対応する在圏移動体通信ネットワーク間の切断やアクセスを完了し、：ＷＬＡＮアクセスネットワークは、受信したアクセス拒絶メッセージによりＷＬＡＮ  ＵＥにアクセス拒絶メッセージを返信し、そしてＷＬＡＮ  ＵＥがアクセスしている在圏移動体通信ネットワークからの再認証要求に対し、再認証手順を実行する、ステップ、を含む。
【００４９】
上記スキームでは、ホームネットワークによって実行される新規選択された在圏移動体通信ネットワークからのＷＬＡＮ  ＵＥに対する認証が失敗した場合、アクセス命令を送信し、ホームネットワークは、ＷＬＡＮ  ＵＥによって新規選択された在圏移動体通信ネットワークを介して、ＷＬＡＮアクセスネットワークに再認証要求メッセージを送信する、ステップ、を含む、；ＷＬＡＮ  ＵＥと対応する在圏移動体通信ネットワーク間の切断とアクセスを完了し、：ＷＬＡＮアクセスネットワークはＷＬＡＮ  ＵＥによって新規選択された在圏移動体通信ネットワークからの再認証要求に対し、再認証手順を実行する、ステップ、を含む。
【００５０】
上記スキームでは、新規選択された在圏移動体通信ネットワークからアクセス許可メッセージを受信した場合、ＷＬＡＮと対応する在圏移動体通信ネットワーク間の切断やアクセスを完了し、：ＷＬＡＮアクセスネットワークはリソース配置とパラメータ構成が完了したことをＷＬＡＮ  ＵＥによって新規選択された在圏移動体通信ネットワークに通知し、ＷＬＡＮアクセスネットワークはＷＬＡＮ  ＵＥと新規選択された在圏移動体通信ネットワーク間の接続を確立し、未起動のまま接続状態をセットする、；そして、ＷＬＡＮ  ＵＥとＷＬＡＮ  ＵＥがアクセスしている在圏移動体通信ネットワーク間の接続を切断した後、すぐにＷＬＡＮ  ＵＥと新規選択された在圏移動体通信ネットワーク間の確立した接続を起動する、ステップ、を含む。
【００５１】
上記スキームでは、在圏移動体通信ネットワークはＷＬＡＮ  ＵＥとそのホームネットワークまたはＷＬＡＮ  ＵＥのホームネットワークを接続している中央オペレーションネットワークとなる。
【００５２】
上記スキームでは、認証情報を認証し、：ホームネットワークのＡＡＡサーバーはＷＬＡＮ  ＵＥによって新規選択された在圏移動体通信ネットワークからの認証要求に対し認証を実行する、ステップ、を含む。
【発明の効果】
【００５３】
本発明によりオペレーションネットワークを再選択しているＷＬＡＮ  ＵＥのための対話型方法は、目下のＷＬＡＮ  ＵＥのホームネットワークにおいてＡＡＡサーバーに微量の修正をもたらし、ＷＬＡＮ  ＵＥによる在圏移動体通信ネットワーク再選択を達成するために、ＡＡＡサーバーがＷＬＡＮ  ＰＬＭＮの既存の選択手順と協力することを可能にする。
【００５４】
本発明によって明らかにされた技術スキームでは、ＷＬＡＮアクセスネットワークは先の在圏移動体通信ネットワークとの接続を切断しないで、新規の在圏移動体通信ネットワークで直接、認証とアクセス手順を実行することができ、このように、ＷＬＡＮ  ＵＥと外部サービスを切断する接続時間は短く、または除かれさえし、在圏通信ネットワークの円滑な再選択手順が実現される。更に、本発明は異なったＰＬＭＮを介して、ＷＬＡＮ  ＵＥに複数の接続を確立することの提供も行い、そしてクライアントの満足感を改善するだけでなく、課金の正確性を向上させ、オペレーターの利益を保護するかもしれない。
【００５５】
その上、本発明はただ、例えばＷＬＡＮ  ＵＥ、ＷＬＡＮアクセスネットワーク、そしてＡＡＡサーバーのような、各々のネットワークエンティティに、若干の小さな修正もたらすか、比較的小さな機能要求を加える、そしてそれは既存のプロセスフローに殆ど影響がない。したがって、本発明はＷＬＡＮ  ＵＥにとってアクセスしたオペレーションネットワークの再選択機能を実現するだけでなく、非常に強い実施性を有する。更に、本発明は多数の実行代替を有し、このように、本発明の実行は非常に柔軟性を有し得る。
【発明を実施するための最良の形態】
【００５６】
本発明の技術スキームとアドバンテージをより明白に且つ明確にするために、本発明は実施形態と添付図面に言及し、以下に詳述しよう。
【００５７】
本発明の基本的な考えは、：在圏移動体通信ネットワークの再選択が必要であるＷＬＡＮ  ＵＥはＷＬＡＮアクセスネットワークと新規選択された在圏移動体通信ネットワークを介して、ＷＬＡＮ  ＵＥのホームネットワークに、認証プロセスを開始し、ＷＬＡＮ  ＵＥと目下の接続しているＷＬＡＮによって再選択される、；そして認証要求を受信した後、前もって保存した相関認証情報や、認証結果や、目下のＷＬＡＮ  ＵＥが同時に複数の接続を許可されているかどうかの状況によって、ホームネットワークは要求を開始したＷＬＡＮ  ＵＥと先の在圏移動体通信ネットワーク間の接続を切断するかどうか決定する、；そして、要求を開始したＷＬＡＮ  ＵＥと新規在圏移動体通信ネットワーク間の接続をセットアップするかどうか決定する。このように、新規在圏移動体通信ネットワークに対するＷＬＡＮ  ＵＥのアクセスは完了する。ここで、予め保存された相関認証情報はユーザー加入情報や、予めセットされたネットワークアクセス規則等に、照会される。
【００５８】
本発明では、ネットワーク再選択を実行しているＷＬＡＮ  ＵＥの前提条件は、ＷＬＡＮ  ＵＥが目下の在圏移動体通信ネットワークにアクセスしていることである。ここでは、目下のアクセスしている在圏移動体通信ネットワークはアクセスネットワークとなり得る、そして中央オペレーションネットワークと呼ばれ、ＷＬＡＮ  ＵＥと、例えばＷＰＬＭＮのような、そのホームネットワークを接続する、；または、目下のＷＬＡＮ  ＵＥのＨＰＬＭＮともなり得る。そこで、ＷＬＡＮ  ＵＥのホームネットワークで認証を実行しているエンティティは、ＡＡＡサーバーになり得る、その上、エンティティは３ＧＰＰ−ＷＬＡＮインターワーキングにおいて、３ＧＰＰ  ＡＡＡサーバーになり得る。
【００５９】
在圏通信オペレーションネットワークを再選択しているＷＬＡＮ  ＵＥにはいくつかの理由がある、例えば目下の在圏移動体通信ネットワークにアクセスする料金が他の在圏移動体通信ネットワークより高いという場合は、ＷＬＡＮ  ＵＥは目下のアクセスしている在圏移動体通信ネットワークから他の在圏移動体通信ネットワークに転換することを望むかもしれない。他のケースでは、目下のアクセスしている在圏移動体通信ネットワークはインターネットをアクセスするためにＷＬＡＮ  ＵＥにとって若干の規制があるため、ＷＬＡＮ  ＵＥは目下のアクセスしている在圏移動体通信ネットワークから他の在圏移動体通信ネットワークに転換することを望むかもしれない。さらに別のケースでは、目下のアクセスしている在圏移動体通信ネットワークはＰＬＭＮにおいて、或るサービスでインタラクション能力を提供し得ないが、他の在圏移動体通信ネットワークはその能力を供給し得る、；または、更に別のケースでは、データ伝送率が遅い間は、目下のアクセスしている在圏移動体通信ネットワークの料金が比較的安価であるが、実用的なアプリケーションは、高速度のアクセスが必要とされる、このような場合、ＷＬＡＮ  ＵＥはより高速度データ率を持つ、より高価な在圏移動体通信ネットワークを選択する必要があるかもしれない。例えば、上述した転換は、そのＨＰＬＭＮからＶＰＬＵＮへの転換、またはＶＰＬＭＮ１からＶＰＬＭＮ２への転換、またはＶＰＬＭＮからＨＰＬＵＮへの転換となり得る。
【００６０】
目下のＷＬＡＮ  ＵＥが同時に複数の接続を許可されている、例えば、ＷＬＡＮ  ＵＥが二つの異なったＶＰＬＭＮを介してＨＰＬＭＮにアクセスする、つまりＶＰＬＭＮ１とＶＰＬＭＮ２を同時に、それからＷＬＡＮ  ＵＥは安価な料金でＶＰＬＭＮ１を使用してインターンネットにアクセスできるならば；ＶＰＬＭＮ１によってサポートされていないＳＭＳサービスの間、ＷＬＡＮ  ＵＥは同時にＳＭＳをサポートしているＶＰＬＭＮ２を採用し得る。この環境下で、ＶＰＬＭＮ１とＶＰＬＭＮ２は各々実行したサービスによりＷＬＡＮ  ＵＥに請求し、ＷＬＡＮ  ＵＥは異なるＮＡＩ  ＩＤを使用している或るサービスをアクセスするため、ＶＰＬＭＮ１かＶＰＬＭＮ２を選択し得る 。ここでは、同時にサポートされた複数の接続は、ＨＰＬＭＮとＶＰＬＵＮによる接続、または異なったＶＰＬＭＮによる接続、となし得る：ＶＰＬＭＮ１，  ＶＰＬＭＮ２・・・ＶＰＬＭＮｎと。
【００６１】
図５で示すように、本発明により移動体通信ネットワークを再選択しているＷＬＡＮ  ＵＥのプロセスは以下のステップを含む：
【００６２】
ステップ５０１：再選択された在圏移動体通信ネットワークを決定すると、新規在圏ネットワークの選択を必要としているＷＬＡＮ  ＵＥはＷＬＡＮアクセスネットワークにアクセス認証プロセスを開始し、そしてＷＬＡＮアクセスネットワークに新規選択された在圏移動体通信ネットワークの情報を送信する。そこで、新規選択された在圏移動体通信ネットワークの情報は、要求メッセージを送信でき、直接ＷＬＡＮアクセスネットワークに運び得る、；代わりに、ＷＬＡＮアクセスネットワークとＷＬＡＮ  ＵＥ間のＥＡＰ手順中に、応答パケットを介し、ＷＬＡＮアクセスネットワークに送信し得る。
【００６３】
ステップ５０２：ＷＬＡＮ  ＵＥの要求を受信すると、ＷＬＡＮアクセスネットワークはＷＬＡＮ  ＵＥによってアクセスするため、新規選択された在圏移動体通信ネットワークを介して、目下のＷＬＡＮ  ＵＥのホームネットワークに認証要求を開始する。
【００６４】
ステップ５０３：認証要求を受信すると、ホームネットワークは目下のＷＬＡＮ  ＵＥによって新規選択された在圏移動体通信ネットワークからの認証要求に対し認証オペレーションを実行し、異なった在圏移動体通信ネットワークを介して、つまりアクセスされた在圏移動体通信ネットワークと新規選択された在圏移動体通信ネットワークを介して、ＷＬＡＮアクセスネットワークにアクセス命令を送信する。
【００６５】
ステップ５０４：ＷＬＡＮ  ＵＥのホームネットワークから送信されたアクセス命令を受信すると、ＷＬＡＮアクセスネットワークはアクセス命令により、ＷＬＡＮ  ＵＥと対応する在圏移動体通信ネットワーク間の切断と／またはアクセスのプロセスを完了する。
【００６６】
本発明で述べられる在圏移動体通信ネットワークは、移動体通信ネットワークや他のケーブル通信オペレーションネットワークとなり得る。以下に、本発明による方法の実行手順は、事例として移動体通信ネットワークを用いることにより、詳細に例示されるだろう、他の通信ネットワークの実行手順は基本的に移動体通信ネットワークと似ている。
【００６７】
ＷＬＡＮ  ＵＥの特定の実行手順は図６に示される、そしてそれは以下の手順を含む、：
【００６８】
ステップ６０１：新規アクセスネットワークの再選択を必要としているＷＬＡＮ  ＵＥはアクセスするために、新規選択された移動体通信ネットワークを決定する、；それから、ＷＬＡＮ  ＵＥはＷＬＡＮアクセスネットワークにアクセス認証要求を送信し、ＷＬＡＮ  ＵＥが新規移動体通信ネットワークにアクセスする必要があることを示す。例えば、新規選択されたネットワークがＨＰＬＭＮであるならば、既にＶＰＬＭＮ１に接続している間、選択しているＶＰＬＭＮ２は、ＷＬＡＮ  ＵＥが新規ＶＰＬＭＮ２を介して、ＨＰＬＭＮにアクセスすることを望んでいることを通知する、ＷＬＡＮ  ＵＥが直接ＨＰＬＭＮにアクセスすることを望んでいることを意味する。ここでは、ＷＬＡＮ  ＵＥが既存接続から新規接続に転換することを選択し得る、またネットワーク能力と／または加入情報により、同時に２または複数の接続をサポートするために選択し得る。
【００６９】
そこで、ＷＬＡＮ  ＵＥによって目下のアクセスしている３ＧＰＰ移動体通信ネットワークは、在圏ネットワークまたはＷＬＡＮ  ＵＥのホームネットワークになり得る。
【００７０】
ステップ６０２：ＷＬＡＮアクセスネットワークがアクセス認証要求を受信した後、アクセス認証手順はＷＬＡＮアクセスネットワークとＷＬＡＮ  ＵＥ間で実行される、即ち、特にＥＡＰ手順が用いられる、：ＷＬＡＮアクセスネットワークは、ＷＬＡＮ  ＵＥに要求ＵＩＤパケットを送信する、;そして、要求パケットを受信すると、ＷＬＡＮ  ＵＥはＷＬＡＮアクセスネットワークに新規選択された移動体通信ネットワークの情報を含んでいるＵＩＤ応答パケットを送信する。同様に、移動体通信ネットワークの情報をＮＡＩフォーマットによりＵＩＤフィールドでセットされ得る。
【００７１】
ステップ６０３：目下のＷＬＡＮ  ＵＥによって新規選択された移動体通信ネットワークを介して、ＷＬＡＮアクセスネットワークは認証を実行するため目下のＷＬＡＮ  ＵＥのホームネットワークへアクセス認証要求を送信する、：ＷＬＡＮアクセスネットワークは新規移動体通信ネットワークのＡＡＡエージェントにアクセス認証要求を送信する、;そして、要求を受信した後、ＡＡＡエージェントはＷＬＡＮ  ＵＥのホームネットワークでＡＡＡサーバーに認証要求を送信し、その後認証手順はＡＡＡサーバーによって実行される、ことを特に含む。
【００７２】
ステップ６０４−６０６：認証要求を受信すると、ＷＬＡＮ  ＵＥのホームネットワークは、要求の情報により新規選択された移動体通信ネットワークからの要求が認証要求であるかどうか決定し、もし要求が新規選択された移動体通信ネットワークを介した認証要求であれば、ホームネットワークは、目下のＷＬＡＮ  ＵＥによって新規選択された移動体通信ネットワークからの認証要求に対し、認証オペレーションを実行する、そして異なった移動体通信ネットワーク、即ちアクセスされた移動体通信ネットワークと新規選択された移動体通信ネットワークを介して、ＷＬＡＮアクセスネットワークにアクセス命令を送信する、;そして、目下のＷＬＡＮ  ＵＥからホームネットワークアクセス命令を受信した後、ＷＬＡＮアクセスネットワークはＷＬＡＮ  ＵＥと対応する移動体通信ネットワーク間の切断やアクセスオペレーションを完了する。
【００７３】
ステップ６０４の要求情報は、ＶＰＬＭＮ、またはＶＰＬＭＮ  ＩＤ、または他のアドレス情報と照会する。例えば、：ホームネットワークが目下のアクセスしている移動体通信ネットワークの全ての情報を保存した時から、ホームネットワークは、要求のソースアドレスが目下のアクセスしている移動体通信ネットワークのアドレスと同じかどうか判定し得る。そして、もし２つのアドレスが同じでないならば、要求は新規選択された移動体通信ネットワークからの認証要求であることを意味する。
【００７４】
実際、ステップ６０４での、代替ケースは、ホームネットワークは要求が新規選択された移動体通信ネットワークからの認証要求かどうか判定することが必要ないことであり、直接、受信された認証要求に認証を実行する。
【００７５】
ステップ６０４では、認証を実行する前に、ホームネットワークは最初に、目下のＷＬＡＮ  ＵＥが複数の接続を同時にアクセスすることを許可されるかどうかか判定し得る。そこで、判定はオペレーターによって予め構成されたデータや、ユーザーの加入情報のデータに基づかれる。構成されたデータは、ネットワークがＷＬＡＮ  ＵＥに複数の接続を許すかどうか、ネットワークが或る特徴のユーザーに複数の接続を持つことを許すかどうか、または、ネットワークが他の或るユーザーに複数の接続を持つことを禁止するかどうか、を含むかもしれない、；その上、或るＶＰＬＭＮへの複数の接続が禁止されるかどうか、もしそうならば、これらの環境下のＶＰＬＭＮのリストが必要とされる。もし各々のユーザーにより判定が実行されると、対応するパートナーはユーザー加入情報を必要とし、ユーザーが異なったＶＰＬＭＮからの多数の接続アクセスを許可するかどうか、許可された複数の接続がＨＰＬＵＮ、そして同時接続許可最大値以内であるか等を含むかもしれない。
【００７６】
もし目下のＷＬＡＮ  ＵＥが同時に一つのＶＰＬＭＮ接続だけにアクセスすることを許可されると、ステップ６０５と６０４で新規選択されたプロセスは２つのケースに分けられる、：
【００７７】
或るケースでは、ホームネットワークが先の移動体通信ネットワークに切断メッセージを送信し、先の移動体通信ネットワークと目下のＷＬＡＮ  ＵＥ間の先の接続を切断し、それから新規移動体通信ネットワークからの認証要求に対し、認証を実行する。この場合、ＷＬＡＮアクセスネットワークは、認証結果により新規移動体通信ネットワークにアクセスするかどうか決定する。そして、次に、以降のオペレーションを完了し、それからネットワークを再選択している当該フローを完了する。つまり、もし認証が失敗すれば、アクセス失敗メッセージがＷＬＡＮ  ＵＥに返信され、そして失敗理由を含むかもしれないだろう、；もし認証が成功すれば、ＷＬＡＮアクセスネットワークはＷＬＡＮ  ＵＥと新規移動体通信ネットワーク間の通常の接続をセットアップし、ＷＬＡＮアクセスネットワークと新規移動体通信ネットワーク間の対応する料金関係を確立する、このようにして、移動体通信ネットワークを再選択するＷＬＡＮ  ＵＥの手順を完了する。
【００７８】
他のケースでは、ホームネットワークは直接、新規移動体通信ネットワークからの認証要求に対し認証を実行し、そして認証結果と対応する認証情報により目下のＷＬＡＮ  ＵＥによって最終的にアクセスされるため、移動体通信ネットワークを決定し、それからホームネットワークはＷＬＡＮアクセスネットワークに認証結果を送信する。ＷＬＡＮアクセスネットワークは受信された信号により、以降の切断と／またはアクセスオペレーションを完了する。この場合、ＷＬＡＮアクセスネットワークの以降のオペレーションは、更に３つのケースに分けられる、：
ａ）新規移動体通信ネットワークからの認証要求に対する、ホームネットワークによって実行された認証が失敗する。この場合、ホームネットワークは失敗が目下のＷＬＡＮ  ＵＥに対する認証の失敗であるかどうかの差異を認めなければならず、失敗理由に関し、判定され得る。もし失敗が目下のＷＬＡＮ  ＵＥに対する認証の失敗ならば、ホームネットワークはＷＬＡＮ  ＵＥと新規移動体通信ネットワーク間の接続のセットアップを拒絶するかもしれない、そして同時にＷＬＡＮ  ＵＥと先の移動体通信ネットワーク間の接続を切断するかもしれない。あるいは、ホームネットワークはＷＬＡＮ  ＵＥと新規移動体通信ネットワーク間の接続セットアップを拒絶し得るだけでなく、；言い換えれば、ホームネットワークはＷＬＡＮ  ＵＥと新規移動体通信ネットワーク間の接続セットアップを拒絶し得る、そして、同時にもう一度、目下のＷＬＡＮ  ＵＥに認証を実行させるため、先の移動体通信ネットワークに要求し得る。
【００７９】
さもなければ、ホームネットワークはＷＬＡＮ  ＵＥと新規移動体通信ネットワーク間の接続セットアップの拒絶のみし得、ＷＬＡＮ  ＵＥと先の移動体通信ネットワーク間の接続を維持する。あるいは、ホームネットワークは、もう一度新規移動体通信ネットワークからの認証要求に対し、認証の実行も、し得る。
ｂ）ホームネットワークは新規移動体通信ネットワークを介して、認証要求がネットワークアクセス規則や予めセットされた加入情報によって通過することを許可されるかどうか判定する。例えば、予めセットされたネットワークアクセス規則が、一つの移動体通信ネットワークをアクセスした後、同時に他の移動体通信ネットワークへのアクセスを許可しないことを含でいると、移動体通信ネットワークを介して認証要求を通過することは許可されないだろう。他の例では、ユーザー加入情報が、アクセスしている複数のアクセスネットワークが同時に許可されないことを通知し、それから新規移動体通信ネットワークからの認証要求を通過することは許可されないだろう。つまり、ホームネットワークは、ＷＬＡＮ  ＵＥの実状により、同時に二つの移動体通信ネットワークにアクセスすることをＷＬＡＮ  ＵＥに対し、禁止し得る。
ｃ）ＷＬＡＮ  ＵＥの認証は成功する。この場合、ホームネットワークは新規移動体通信ネットワークにアクセス許可メッセージを送信し、それから、先の移動体通信ネットワークに切断メッセージを送信する。具体的には、ホームネットワークは最初にアクセス許可メッセージを送信し、それから、切断メッセージを送信し得る。あるいは、同時にアクセス許可メッセージと切断メッセージの送信も、し得る。あるいは、ホームネットワークは、新規移動体通信ネットワークにアクセス許可メッセージだけ送信し得る。
【００８０】
上記ｃのケースによれば、ＷＬＡＮアクセスネットワークのプロセスは、三つのケースをも含む：
ｃ１）ＷＬＡＮアクセスネットワークが最初に新規移動体通信ネットワークからアクセス許可メッセージを受信すれば、ＷＬＡＮアクセスネットワークは課金情報を収集し、先の移動体通信ネットワークに課金情報を送信する、それから目下のＷＬＡＮ  ＵＥと先の移動体通信ネットワーク間のネットワーク接続を切断する、；同時に、ＷＬＡＮアクセスネットワークは目下のＷＬＡＮ  ＵＥと新規移動体通信ネットワーク間の通常のネットワーク接続をセットアップし、新規移動体通信ネットワークと対応する課金関係を確立し、以降の課金情報は送信されることになる、このように、ＷＬＡＮ  ＵＥのオペレーションを再選択するネットワークは完了する。
ｃ２）ＷＬＡＮアクセスネットワークが先の移動体通信ネットワークから切断メッセージを受信すれば、ＷＬＡＮアクセスネットワークは課金情報を収集し、直接、先の移動体通信ネットワークへ課金情報を送信し得る、それから目下のＷＬＡＮ  ＵＥと先の移動体通信ネットワークを切断し、次に、新規移動体通信ネットワークからの認証結果を待機する。認証結果を受信した後、ＷＬＡＮアクセスネットワークは目下のＷＬＡＮ  ＵＥと新規移動体通信ネットワーク間の通常のネットワーク接続をセットアップし、新規移動体通信ネットワークと対応する課金関係を確立する、このように、以降の課金情報は新規移動体通信ネットワークに送信されることになり、そして、ＷＬＡＮ  ＵＥのオペレーションを再選択するネットワークは完了する。
【００８１】
ＷＬＡＮアクセスネットワークはまた、最初に新規移動体通信ネットワークから認証結果を待機し得る。そして認証結果を受信した後、ＷＬＡＮアクセスネットワークは課金情報を収集し、先の移動体通信ネットワークに送信する、それから、目下のＷＬＡＮ  ＵＥと先の移動体通信ネットワーク間のネットワーク接続を切断する、同時に、ＷＬＡＮアクセスネットワークは通常のネットワーク接続と、目下のＷＬＡＮ  ＵＥと、そして新規移動体通信ネットワークと対応する課金関係をセットアップする、このように、以降の課金情報は新規移動体通信ネットワークに送信されることになり、それから、ＷＬＡＮ  ＵＥのオペレーションを再選択するネットワークを完了する。
ｃ３）ＷＬＡＮアクセスネットワークが認証失敗のため発生した切断信号を受信すれば、ＷＬＡＮアクセスネットワークは最初、課金情報を収集し、先の移動体通信ネットワークに送信する、それから目下のＷＬＡＮ  ＵＥと先の移動体通信ネットワーク間のネットワーク接続を切断する、それから新規移動体通信ネットワークからの認証結果を待機する、；アクセス許可メッセージが受信されれば、対応するオペレーションはケースｃ１により実行されるだろう、；認証結果が受信されないならば、もう一度認証プロセスの実行を試みる。
【００８２】
目下のＷＬＡＮ  ＵＥが同時に多数のＶＰＬＭＮ接続のアクセスを許可されると、例えば、目下のＷＬＡＮ  ＵＥはＷＬＡＮ−ＶＰＬＭＮ１−ＨＰＬＭＮの接続をセットアップし、同時に、ＷＬＡＮ−ＶＰＬＭＮ２−ＰＬＭＮの接続をもセットアップする。ここで、ホームネットワークや目下のＷＬＡＮ  ＵＥのＷＬＡＮアクセスネットワークはユーザー加入情報か、ネットワークセッティングか、ユーザー選択により既存の接続を切断するかどうか決定するだろう。既存の接続を切断しないと決定すれば、一方、ＡＡＡは接続が複数接続の範囲内かどうか判定するだろう、もしそうならば、ＡＡＡは通常の認証を実行するだろう、そして新規接続のため認証オペレーションをアクセスし、認証が成功した後、ＷＬＡＮに対し、ＷＬＡＮ  ＵＥにアクセスすることを通知する。他方、既存の接続の使用継続を確認するオペレーションを実行する必要がある。このオペレーションは、複数の方法で完了され得る、例えば、ａ）は目下のＷＬＡＮ  ＵＥがアクセスしている移動体通信ネットワークを介して、ＷＬＡＮ  ＵＥに再認証を実行する、； ｂ）は本来、複数の接続が存在していることを目下のＷＬＡＮ  ＵＥに通知し、ここで、通知は確立した接続か、新規に確立した接続か、またはネットワークとＷＬＡＮ  ＵＥ間の他の接続を介して、送信され得る、そして目下の接続総数と／または選択してアクセスされたＶＰＬＭＮのリストのような特定の接続選択等は通知情報で通知され得る、；ｃ）は何もしない。
【００８３】
複数の接続値が予めセットされており、ＷＬＡＮ  ＵＥによって確立する新規接続が確立した後に、接続数が複数接続最大値を上回ると、新規接続の要求は拒絶されるだろう、；または、ユーザーは除去する接続の選択を促されるだろう、即ち、目下の確立した接続の中から除去する接続を選択する。ここで、ネットワークは対応するアクセスされた在圏移動体通信ネットワークを切断し得るか、またはユーザーの応答により新規選択された在圏移動体通信ネットワークを拒絶し得る、そしてネットワークは除去する接続を指定し、ユーザー確認をし得る。
【００８４】
上記スキームにおいて、移動体通信ネットワークとＷＬＡＮ  ＵＥ間の接続を切断し、： サービス接続や、課金情報の固定アカウント等を切断すると、特定のプロセスは、ＷＬＡＮ  ＵＥとＷＬＡＮ  ＵＥに接続している移動体通信ネットワーク間の接続を切断する既存手順と正確に同じである、ステップ、を更に含む。
【００８５】
上記スキームで、新規移動体通信ネットワークからのアクセス許可メッセージを受信した後、ＷＬＡＮアクセスネットワークは最初にＷＬＡＮ  ＵＥと新規移動体通信ネットワーク、例えばリソース配置、パラメータ構成等が完了している新規移動体通信ネットワーク、の各々の準備オペレーションをし得る、そしてＷＬＡＮ  ＵＥと新規移動体通信ネットワーク間の接続をセットアップし、接続状態は未起動のままセットされる。ＷＬＡＮ  ＵＥとアクセスした移動体通信ネットワーク間の接続を切断した後、ＷＬＡＮ  ＵＥと新規移動体通信ネットワーク間の確立された接続はすぐ起動することになり、このように、ユーザーサービス接続の切断時間は削減し得る。
【００８６】
図７は同時に３つのＶＰＬＭＮと接続している、或るＷＬＡＮアクセスネットワーク状態を示す。もしＷＬＡＮがＷＬＡＮアクセスネットワークを介して、ＶＰＬＭＮ１にアクセスしたならば、目下のＷＬＡＮ  ＵＥはＶＰＬＭＮ１からＶＰＬＭＮ２へ転換を望む。そこで、ＶＰＬＭＮ１は先の３ＧＰＰ  ＡＡＡエージェントと一致し、ＶＰＬＭＮ２は新規３ＧＰＰ  ＡＡＡエージェントと一致する。そこで、アクセスするために移動体通信ネットワークを再選択しているＷＬＡＮ  ＵＥのプロセスを、いくつかの実施形態と図７に言及し、以下により詳細に例示しよう。
【００８７】
＜実施形態１：＞
本実施形態では、ＶＰＬＭＮ２から認証要求を受信した後、ホームネットワークは直接、認証オペレーションを実行する、；その上、認証が成功した後、ホームネットワークは最初にＶＰＬＭＮ２へアクセス許可メッセージを送信し、それから、ＶＰＬＭＮ１に切断メッセージを送信する。そのため、ＷＬＡＮアクセスネットワークは、最初にアクセス許可メッセージを受信するだろう。その上、本実施形態では、目下のＷＬＡＮ  ＵＥは同時に１つの接続のみアクセスすることを許可される、；この場合、移動体通信ネットワークを再選択しているＷＬＡＮ  ＵＥのプロセスは以下のステップ、を含む、：
【００８８】
ステップ１１：目下のＷＬＡＮ  ＵＥはＶＰＬＭＮ２のアクセスが必要であることを決定し、ドメイン名またはＶＰＬＭＮ２のＩＤを確認する。
【００８９】
ステップ１２：ＷＬＡＮ  ＵＥはＶＰＬＭＮ１で既存の接続を確認せずに、ＷＬＡＮアクセスネットワークにアクセス認証要求を送信する、即ち、ＷＬＡＮ  ＵＥはＷＬＡＮアクセスネットワークに認証スタートパケットＥＡＰｏＬ−Ｓｔａｒｔを送信する。
【００９０】
ステップ１３−１４：アクセス認証要求を受信すると、ＷＬＡＮアクセスネットワークはＷＬＡＮアクセスネットワークとＷＬＡＮ  ＵＥ間でアクセス認証手順を開始する。具体的には、ＷＬＡＮアクセスネットワークは、目下のＷＬＡＮ  ＵＥのユーザー名を要求するため、ＷＬＡＮ  ＵＥにユーザーＩＤパケットＥＡＰｏＬ−Ｒｅｑｕｅｓｔ（Ｉｄｅｎｔｉｔｙ）を送信する、；要求パケットを受信後、ＷＬＡＮ  ＵＥはＷＬＡＮアクセスネットワークに、ユーザーＩＤ応答パケットＥＡＰｏＬ−Ｒｅｓｐｏｎｓｅ（Ｉｄｅｎｔｉｔｙ）を返信する、そしてＮＡＩフォーマットでユーザーＩＤフィールドを運ぶ。そこで、ユーザーＩＤフィールドはネットワーク選択情報を運ぶ、；パケットはこの情報がネットワーク再選択のためであることを確認するため、ＩＤ情報を運び得る。
【００９１】
ステップ１５：ＷＬＡＮアクセスネットワークは、目下のＷＬＡＮ  ＵＥが、要求で、ＶＰＬＭＮ２のアドレス情報やＩＤ情報により、ＶＰＬＭＮ２へのアクセスの選択を確認し、ＶＰＬＭＮ２は目下のＷＬＡＮと接続する、それからＷＬＡＮアクセスネットワークはＷＬＡＮ  ＵＥからのアクセス認証要求を転送し、それからアクセス認証要求はＷＬＡＮ  ＵＥのホームネットワークに転送される、そして次に認証手順がホームネットワークによって実行される、具体的には、すべての認証オペレーションがホームネットワークでＡＡＡサーバーによって完了される。
【００９２】
ステップ１６：目下のＷＬＡＮ  ＵＥのホームネットワークが認証要求を受信した後、目下のＷＬＡＮ  ＵＥがＶＰＬＭＮ１に接続した時から、対応する接続情報はホームネットワークに存在し、ホームネットワークは、ＶＰＬＭＮ２からの認証要求が既存の情報か、認証要求で伝えた移動体通信ネットワークＩＤにより新規選択されたモバイルオペレーションネットワークからの認証要求であることを判定及び確認する、そしてホームネットワークは直接、ＶＰＬＭＮ２からの認証要求に対し認証を実行する。
【００９３】
このステップにおいて、ホームネットワークは同時に複数のＶＰＬＭＮにアクセスすることを目下のＷＬＡＮ  ＵＥが許可されるかどうか判定することが必要である、もしそうならば、ホームネットワークは以降のステップで切断や先の接続の維持ができる、；さもなければ、先の接続は切断するだろう。本実施形態において、目下のＷＬＡＮ  ＵＥは複数のＶＰＬＭＮにアクセスすることが許可されないので、ＶＰＬＭＮ１とＷＬＡＮ  ＵＥは以降のステップで切断されるだろう。
【００９４】
ステップ１７：ＷＬＡＮ  ＵＥの認証が失敗すると、ＶＰＬＭＮ２にアクセス拒絶メッセージが送信されるだろう、；または、代わりに再認証メッセージがＶＰＬＵＮ１に送信され、アクセス拒絶メッセージがホームネットワークによってＶＰＬＭＮ２に送信されるだろう。ＶＰＬＭ２からアクセス拒絶メッセージを受信した後、ＷＬＡＮネットワークは当該要求を開始しているＷＬＡＮ  ＵＥに認証が失敗したことを通知し、それから、ネットワーク再選択の当該プロセスを完了する。そこで、アクセス拒絶メッセージは拒絶理由、例えば拒絶理由内容、を運ぶ。
【００９５】
もしホームネットワークが、ネットワークアクセス規則や予めセットされるユーザー加入情報により、ＶＰＬＭＮ２から以降の目下のＷＬＡＮ  ＵＥの認証要求を拒絶することを確認すれば、例えば、許可されていないＷＬＡＮ  ＵＥによって同時にアクセスしている複数移動体通信ネットワークのアクセス規則、または許可されていないＷＬＡＮ  ＵＥによってＶＰＬＭＮ２にアクセスする等ならば、ホームネットワークはＶＰＬＭＮ２にアクセス拒絶メッセージを送信する、そして、ホームネットワークとＶＰＬＭＮ１間の接続は影響を受けないだろう。ＶＰＬＭＮ２からアクセス拒絶メッセージを受信した後、ＷＬＡＮアクセスネットワークは再選択している移動体通信ネットワークの認証が失敗したことをＷＬＡＮ  ＵＥに通知し、それからネットワーク再選択の当該プロセスを完了する。
【００９６】
ホームネットワークによりＷＬＡＮ  ＵＥの承認が成功すると、ステップ１８へ進む。本実施形態において、ホームネットワークによるＷＬＡＮ  ＵＥに対する認証は成功すると考える。
【００９７】
ステップ１８：ホームネットワークはＶＰＬＭＮ２へアクセス許可メッセージを送信し、ネットワークアクセス規則やユーザー加入情報により、ＷＬＡＮ  ＵＥが同時に１つの接続だけアクセスを許可してから、その後ホームネットワークはＶＰＬＭＮ１に拒絶メッセージを送信する。
【００９８】
最初にＶＰＬＭＮ２からアクセス許可メッセージを受信した後、ＷＬＡＮアクセスネットワークは課金情報を収集し、それからＶＰＬＭＮ１へ送信する、そして次に目下のＷＬＡＮ  ＵＥとＶＰＬＭＮ１間の接続を切断する、；そして同時に、ＷＬＡＮアクセスネットワークはＷＬＡＮ  ＵＥとＶＰＬＭＮ２間の通常のネットワーク接続をセットアップし、ＶＰＬＭＮ２と対応する課金関係を確立し、このように以降の課金情報をＶＰＬＭＮ２に送信し、ＷＬＡＮ  ＵＥのオペレーションネットワーク再選択のプロセスが完了される。
【００９９】
＜実施形態２＞：
この実施形態では、ＶＰＬＭＮ２から認証要求を受信した後、ホームネットワークは直接、認証オペレーションを実行する、； そして、認証が成功した後、ホームネットワークはＶＰＬＭＮ２へアクセス許可メッセージを送信し、同時にＶＰＬＵＮ１に切断メッセージを送信する、；それから、ＷＬＡＮアクセスネットワークは最初に、アクセス許可メッセージを受信する。本実施形態において、目下のＷＬＡＮ  ＵＥは１つの接続だけＷＬＡＮ  ＵＥとアクセスすることを許可されるか、ＷＬＡＮ  ＵＥは既存接続から新規接続に転換することを指示する。この場合、本実施形態により移動体通信ネットワークを再選択しているＷＬＡＮ  ＵＥの手順は、基本的に実施形態１と同様であるが、ステップ２８は実施形態１のステップ１８と異なる。
【０１００】
ステップ２１〜２７：これらのステップは実施形態１によるステップ１１〜１７と正確に同じである。
【０１０１】
ステップ２８：ホームネットワークはＶＰＬＭＮ２にアクセス許可メッセージを送信し、同時にＶＰＬＭＮ１に切断メッセージを送信する。
【０１０２】
＜実施形態３＞：
本実施形態では、ＶＰＬＭＮ２から認証要求を受信した後、ホームネットワークは直接、認証オペレーションを実行し、認証は成功する；その上、認証が成功した後、ホームネットワークはＶＰＬＭＮ２にアクセス許可メッセージを送信し、同時にＶＰＬＭＮ１に切断メッセージを送信する、；それから、ＷＬＡＮアクセスネットワークは、最初に切断メッセージを受信する。本実施形態において、目下のＷＬＡＮ  ＵＥは１つの接続だけアクセスすることを許可されるか、ＷＬＡＮ  ＵＥは既存接続から新規接続へ転換することを指示する。この場合、本実施形態で移動体通信ネットワークを再選択しているＷＬＡＮ  ＵＥの手順は基本的に同様であるが、ステップ３８と３９は実施形態１のステップ１８と１９と異なる。
【０１０３】
ステップ３１〜３７：これらのステップは実施形態１によるステップ１１〜１７と正確に同じである。
【０１０４】
ステップ３８：ホームネットワークはＶＰＬＭＮ２にアクセス許可メッセージを送信し、同時にＶＰＬＭＮ１に切断メッセージを送信する。
【０１０５】
ステップ３９：最初にＶＰＬＭＮ１から切断メッセージを受信した後、ＷＬＡＮアクセスネットワークはＶＰＬＭＮ２からアクセス許可メッセージを待機し、そしてアクセス許可メッセージを受信した後、ＷＬＡＮアクセスネットワークは課金情報を収集し、ＶＰＬＭＮ１に送信する、それから目下のＷＬＡＮ  ＵＥとＶＰＬＭＮ１間の接続を切断する、；次に、ＷＬＡＮアクセスネットワークはＷＬＡＮ  ＵＥとＶＰＬＭＮ２に通常のネットワーク接続のセットアップを行い、ＶＰＬＭＮ２と対応する課金関係を確立する、このようにして、以降の課金情報をＶＰＬＭＮ２に送信するだろう、そしてＷＬＡＮ  ＵＥのオペレーションネットワーク再選択のプロセスは完了する。
【０１０６】
＜実施形態４＞：
本実施形態では、ＶＰＬＭＮ２から認証要求を受信した後、ホームネットワークは直接認証オペレーションを実行し、認証は成功する、；その上、認証が成功した後、ホームネットワークはＶＰＬＭＮ２にアクセス許可メッセージを送信し、同時にＶＰＬＭＮ２に切断メッセージを送信する、；ＷＬＡＮアクセスネットワークは、認証失敗により発生した、切断メッセージを受信する。本実施形態では、目下のＷＬＡＮ  ＵＥは１つの接続だけアクセスすることを許可されるか、ＷＬＡＮ  ＵＥは既存接続から新規接続へ転換を指示する。この場合、本実施形態で移動体通信ネットワークを再選択しているＷＬＡＮ  ＵＥの手順、基本的に実施形態１と同じであるが、ステップ４８と４９が実施形態１のステップ１８と１９と異なる。
【０１０７】
ステップ４１〜４７：これらのステップは実施形態１によるステップ１１〜１７と正確に同じである。
【０１０８】
ステップ４８：ホームネットワークはＶＰＬＭＮ２にアクセス許可メッセージを送信し、同時にＶＰＬＭＮ１に切断メッセージを送信する。
【０１０９】
ステップ４９：ＷＬＡＮアクセスネットワークがＶＰＬＭＮ１から切断メッセージを受信した後、メッセージで運んだ理由の内容は、或る移動体通信ネットワークが重複接続するため切断することが必要であること、を示し、ＷＬＡＮアクセスネットワークは最初に課金情報を収集し、それをＶＰＬＭＮ１に送信する、次に、目下のＷＬＡＮ  ＵＥとＶＰＬＭＮ１間の接続を切断し、それからＶＰＬＭＮ２からの認証結果を待機する、；ＶＰＬＭＮ２からアクセス許可メッセージを受信した後、ＷＬＡＮ  アクセスネットワークはＷＬＡＮ  ＵＥとＶＰＬＭＮ２に通常のネットワーク接続をセットアップし、それからＶＰＬＭＮ２と対応する課金関係を確立する、このようにして、以降の課金情報はＶＰＬＭＮ２に送信されるだろう、そしてＷＬＡＮ  ＵＥのオペレーションネットワーク再選択のプロセスは完了する。ここでは、ＶＰＬＭＮ２からの認証結果が受信されないならば、ＷＬＡＮアクセスネットワークは認証を再度試行するかもしれない、そして予めセットされた再度の試行時間や試行期間に達すると、認証は失敗する。
【０１１０】
＜実施形態５＞：
本実施形態では、ＶＰＬＭＮ２から認証要求を受信した後、ホームネットワークは最初、ＶＰＬＭＮ１に切断メッセージを送信し、それからＶＰＬＭＮ２からの認証要求に対し、認証を実行する。この実施形態では、目下のＷＬＡＮ  ＵＥは同時に１つの接続のみアクセスすることを許可されるか、ＷＬＡＮ  ＵＥは既存接続から新規接続への転換を指示する。この場合、移動体通信ネットワークを再選択しているＷＬＡＮ  ＵＥの手順は以下のステップ、を含む：
【０１１１】
ステップ５１〜５６：これらのステップは実施形態１によるステップ１１〜１６と正確に同じである。
【０１１２】
ステップ５７：ホームネットワークはＶＰＬＭＮ１と目下のＷＬＡＮ  ＵＥ間の接続を切断する要求をしているＶＰＬＭＮ１に切断メッセージを送信する、；ホームネットワークからＶＰＬＭＮ１を介して、送信された切断メッセージを受信した後、ＷＬＡＮアクセスネットワークはＶＰＬＭＮ１と切断し、：課金情報を収集し、それをＶＰＬＭＮ１に送信する、そしてネットワーク接続、シグナリング接続、そして目下のＷＬＡＮ  ＵＥとＶＰＬＭＮ１間のサービス接続を切断するが、目下のＷＬＡＮ  ＵＥとＶＰＬＭＮ１間のワイアレス接続は切断しない、；そして、ＶＰＬＭＮ２からの認証要求に対し認証を実行する、ことを、特に含む。
【０１１３】
ステップ５８：ＶＰＬＭＮ２から認証結果を受信した後、ＷＬＡＮアクセスネットワークは認証が成功するかどうか判定し、もし認証が成功すれば、ＷＬＡＮアクセスネットワークは目下のＷＬＡＮ  ＵＥとＶＰＬＭＮ２間の信号関係、課金関係、そして認証関係を確立する、そして目下のＷＬＡＮ  ＵＥとＶＰＬＭＮ２間のサービス接続をセットアップし、ネットワーク再選択プロセスは完了する。さもなければ、ＷＬＡＮアクセスネットワークは目下のＷＬＡＮ  ＵＥに認証が失敗したことを通知し、認証失敗メッセージが失敗理由内容を運ぶかもしれない。
【０１１４】
＜実施形態６＞：
本実施形態において、目下のＷＬＡＮ  ＵＥはユーザー加入情報により複数のＶＰＬＭＮにアクセスすることを許可され、ＷＬＡＮ  ＵＥによって選択されたＶＰＬＭＮ２はＷＬＡＮ  ＵＥがアクセスしたい２番目のＶＰＬＭＮとなる。ＶＰＬＭＮ２からの認証要求を受信した後、ホームネットワークは直接、認証を実行し、認証は成功する。そして認証が成功した後、ホームネットワークは目下のＷＬＡＮ  ＵＥの判定により、複数接続アクセスの実行を許可されているか確認し、それからホームネットワークはＶＰＬＭＮ２にアクセス許可メッセージを送信する、；その後、ＷＬＡＮアクセスネットワークがＷＬＡＮ  ＵＥとＶＰＬＭＮ２間の接続を起動し、異なったＩＰアドレスかＷＬＡＮ  ＵＥによって使用されたＮＡＩによりＶＰＬＭＮ１かＶＰＬＭＮ２にＷＬＡＮ  ＵＥのデータを配布する。ＷＬＡＮ  ＵＥはユーザーか、ユーザーアプリケーションプログラムの選択により異なったＶＰＬＭＮに対応するサービスデータを送信する。このように、本実施形態による移動体通信ネットワークを再選択しているＷＬＡＮ  ＵＥの手順は、ステップ６８と６９が実施形態１のステップ１８と１９と異なることを除き、実施形態１と基本的に同じである。
【０１１５】
ステップ６１〜６７：これらのステップは実施形態１によるステップ１１〜１７と正確に同じである。
【０１１６】
ステップ６８：目下のＷＬＡＮ  ＵＥが同時に複数接続にアクセスすることを許可されるので、ホームネットワークがＶＰＬＭＮ２にアクセス許可メッセージを送信する場合、ＶＰＬＭＮ１に切断メッセージを送信する必要はない。
【０１１７】
ステップ６９：ＶＰＬＭＮ２からアクセス許可メッセージを受信した後、ＷＬＡＮアクセスネットワークはＷＬＡＮ  ＵＥとＶＰＬＭＮ２に通常のネットワーク接続をセットアップし、ＶＰＬＭＮ２と対応する課金関係を確立する、このようにして、以降の課金情報はユーザーＩＤ情報によりＶＰＬＭＮ１とＶＰＬＭＮ２に送信されるだろう、ここで、ユーザーＩＤ情報はＮＡＩ、ＩＰアドレス等を含む。例えば、もしユーザーデータがＶＰＬＭＮ１に属するＩＤアドレスを使用すれば、対応する課金情報はＶＰＬＭＮ１に送信されるだろう、；ユーザーデータＩＤ がＶＰＬＭＮ２であれば、対応する課金情報はＶＰＬＭＮ２に送信され、複数のＶＰＬＭＮネットワークをサポートしているＷＬＡＮ  ＵＥのプロセスは完了する。ここで、もしＶＰＬＭＮ２からの認証結果を受信しないならば、ＷＬＡＮアクセスネットワークは再度、認証を試行するかもしれない、そして試行時間や試行期間は予めセットされ得る。予めセットされた試行時間や試行期間に達すると、認証は失敗する。
【０１１８】
＜実施形態７＞：
本実施形態では、目下のＷＬＡＮ  ＵＥはユーザー加入情報より多数のＶＰＬＭＮにアクセスすることを許可され、最大同時接続値は予めセットされ、ＷＬＡＮ  ＵＥによって選択されたＶＰＬＭＮはＷＬＡＮ  ＵＥがアクセスしたｎ番目のＶＰＬＭＮであり、ｎが予めセットされたＷＬＡＮ  ＵＥの最大同時接続数値を上回り、ＶＰＬＭＮからの認証要求を受信した後、ホームネットワークは直接拒絶し、拒絶理由がアクセス制限である拒絶理由を説明し得る、そして或る既存接続がＷＬＡＮ  ＵＥによって除去されることが必要である、；ホームネットワークはまた認証を直接受信することもでき、認証が成功した後、除去する接続を選択することをＷＬＡＮ  ＵＥに指示する。
【０１１９】
ステップ７１〜７７：これらのステップは実施形態１によるステップ１１〜１７と正確に同じである。
【０１２０】
ステップ７８：ホームネットワークはｎ番目の接続が最大同時接続値を上回るかどうか判定し、もし上回らなければ、実施形態６のステップ６８、６９に記述されたステップに進む、；さもなければ、ホームネットワークは要求を拒絶するか、受信するか、選択し、ユーザー加入情報か、ネットワーク構成により認証を実行し、それから或る既存の接続を除去することをＷＬＡＮ  ＵＥに指示する。
【０１２１】
＜実施形態８＞：
本実施形態では、目下のＷＬＡＮ  ＵＥはユーザー加入情報により同時に複数のＶＰＬＭＮにアクセスすることを許可されるが、ＷＬＡＮ  ＵＥは或る既存接続から他の新規接続に転換すると考える。この場合、既存接続は最初に除去され得る、それから新規接続は、実施形態４に記述されるように、確立される、；代わりに、新規接続は最初にセットアップを試み、新規接続は良好にセットアップされ、それから先の接続は、実施形態１、２そして３で記述しているように、除去される、；言い換えれば、新規接続がセットアップされる間、先の接続を除去することを信号でネットワークに指示する。
【０１２２】
上述されたことは、単に本発明の比較的好ましい実施形態であり、発明保護範囲を制限することを目的としない。
【図面の簡単な説明】
【０１２３】
【図１】ローミングの場合における、ＷＬＡＮと３ＧＰＰシステムのインターワーキングネットワークのネットワーク構造を例示している概略図。
【図２】ノンローミングの場合における、ＷＬＡＮと３ＧＰＰシステムのインターワーキングネットワークのネットワーク構造を例示している概略図。
【図３】本発明の実行例によりアクセスするために、移動体通信ネットワークを選択するＷＬＡＮ  ＵＥのプロセスを例示しているフローチャート。
【図４】本発明の他の実行例によりアクセスするために、移動体通信ネットワークを選択するＷＬＡＮ  ＵＥのプロセスを例示しているフローチャート。
【図５】本発明による方法を例示しているフローチャート。
【図６】本発明の特定の実行例による方法を例示しているフローチャート。
【図７】複数の在圏ネットワークでＷＬＡＮが接続したネットワークの構造を例示している概略図。
【図１】
2007522714.tif 000003
【図２】
2007522714.tif 000004
【図３】
2007522714.tif 000005
【図４】
2007522714.tif 000006
【図５】
2007522714.tif 000007
【図６】
2007522714.tif 000008
【図７】
2007522714.tif 000009
【手続補正書】
【提出日】平成18年9月26日(2006.9.26)
【手続補正１】
【補正対象書類名】特許請求の範囲
【補正対象項目名】全文
【補正方法】変更
【補正の内容】
【特許請求の範囲】
【請求項１】
新しい通信ネットワークにアクセスするワイヤレスローカルエリアネットワーク（ＷＬＡＮ）の移動端末（ＵＥ）の対話型方法であって、
第１の在圏移動体通信ネットワークにアクセスしているＷＬＡＮ  ＵＥが第２の在圏移動体通信ネットワークとのアクセスを必要とする場合、ＷＬＡＮ  ＵＥは、ＷＬＡＮアクセスネットワークと第２の在圏移動体通信ネットワークとを介してＷＬＡＮ  ＵＥが位置するホームネットワークに認証情報を送信し、
認証情報を受信すると、ホームネットワークは、認証情報によりＷＬＡＮ  ＵＥを認証し、第２の在圏移動体通信ネットワークを介してＷＬＡＮアクセスネットワークにアクセス命令を送信し、
アクセス命令を受信したら、ＷＬＡＮ  ＵＥは、ＷＬＡＮアクセスネットワークを介して第２の在圏移動体通信ネットワークにアクセスする、
ことを含む方法。
【請求項２】
ホームネットワークがＷＬＡＮ  ＵＥを認証する前に、ＷＬＡＮ  ＵＥのホームネットワークが、第１の在圏移動体通信ネットワークに切断メッセージを送信し、ＷＬＡＮ  ＵＥ及び第１の在圏移動体通信ネットワーク間の接続を切断する、ことを更に含み、
アクセス命令を送信するステップは、ホームネットワークが第２の在圏移動体通信ネットワークを介してＷＬＡＮアクセスネットワークにアクセス許可メッセージかアクセス拒絶メッセージを送信する、ことを含み、
２番目の在圏移動体通信ネットワークにアクセスするステップは、ＷＬＡＮアクセスネットワークが、アクセス許可メッセージを受信したかどうかを判定し、もしそうならば、ＷＬＡＮ  ＵＥ及び第２の在圏移動体通信ネットワーク間の接続を確立し、さもなければ、ＷＬＡＮ  ＵＥにアクセス拒絶メッセージを転送する、ことを更に含む
請求項１に記載の方法。
【請求項３】
ホームネットワークがＷＬＡＮ  ＵＥを認証する前に、同時に複数の在圏移動体通信ネットワークにアクセスすることをＷＬＡＮ  ＵＥが許可されたかどうかを判定し、もしそうならば、ＷＬＡＮ  ＵＥのホームネットワークが、第１の在圏移動体通信ネットワークに切断メッセージを送信するかどうかを決定し、さもなければ、ＷＬＡＮ  ＵＥのホームネットワークが、第１の在圏移動体通信ネットワークに切断メッセージを送信し、ＷＬＡＮ  ＵＥ及び第１の在圏移動体通信ネットワーク間の接続を切断する、ことを更に含む請求項２に記載の方法。
【請求項４】
ホームネットワークがＷＬＡＮ  ＵＥを認証する前に、ホームネットワークが、第２の在圏移動体通信ネットワークからの認証要求に対して認証を許可するかどうかを判定し、もし許可されるならば、第２の在圏移動体通信ネットワークからの認証要求に対して認証オペレーションを継続し、
もし許可されないならば、アクセス命令を送信するステップは、
ホームネットワークが、第２の在圏移動体通信ネットワークを介してＷＬＡＮアクセスネットワークにアクセス拒絶メッセージを送信する、ことを含み、
第２の在圏移動体通信ネットワークにアクセスするステップは、ＷＬＡＮアクセスネットワークがＷＬＡＮ  ＵＥにアクセス拒絶メッセージを転送する、ことを含む
請求項１に記載の方法。
【請求項５】
判定ステップは、同時に複数の在圏移動体通信ネットワークとアクセスすることをＷＬＡＮ  ＵＥに許可するかどうかを判定し、もし許可されると、第２の在圏移動体通信ネットワークからの認証要求に対して認証を許可するかどうかを判定し、そして、もし認証要求に対して認証が許可されないならば、第２の在圏移動体通信ネットワークからの認証要求に対する認証は、許可されない、ことを更に含む請求項４に記載の方法。
【請求項６】
アクセス拒絶メッセージが拒絶理由を含む情報を更に運ぶ、請求項２または４に記載の方法。
【請求項７】
ＷＬＡＮ  ＵＥに対する認証が成功した後、アクセス命令を送信するステップは、ホームネットワークが、第２の在圏移動体通信ネットワークを介してＷＬＡＮアクセスネットワークにアクセス許可メッセージを送信する、ことを含み、
第２の在圏移動体通信ネットワークにアクセスするステップは、受信したアクセス許可メッセージにより、ＷＬＡＮアクセスネットワークが、ＷＬＡＮ  ＵＥ及び第２の在圏移動体通信ネットワーク間の接続を確立する、ことを含む
請求項１に記載の方法。
【請求項８】
第２の在圏移動体通信ネットワークにアクセス許可メッセージを送信している間、ホームネットワークは、第１の在圏移動体通信ネットワークを介してＷＬＡＮアクセスネットワークに切断メッセージを送信し、
第２の在圏移動体通信ネットワークにアクセスするステップは、ＷＬＡＮ  ＵＥ及び第１の在圏移動体通信ネットワーク間の接続を切断する、ことをさらに含む
請求項７に記載の方法。
【請求項９】
第１の在圏移動体通信ネットワークを介してＷＬＡＮアクセスネットワークに切断メッセージを送信する前に、ＷＬＡＮ  ＵＥが同時に複数の在圏移動体通信ネットワークとアクセスすることを許可するかどうかを判定し、もしそうならば、ＷＬＡＮ  ＵＥのホームネットワークは、ユーザー選択により第１の在圏移動体通信ネットワークに切断メッセージが送信されるかどうかを決定し、さもなければ、ホームネットワークは、第１の在圏移動体通信ネットワークを介してＷＬＡＮアクセスネットワークに切断メッセージを送信する、ことを更に含む請求項８に記載の方法。
【請求項１０】
在圏移動体通信ネットワークを介してＷＬＡＮ  ＵＥのために再認証を実行する、及び／または、複数の接続が存在していることをＷＬＡＮ  ＵＥに通知するために、一つの通告情報を送信する、または何もしない、ことを更に含む請求項７に記載の方法。
【請求項１１】
ＷＬＡＮ  ＵＥに対して認証が成功した後、アクセス命令を送信するステップは、ホームネットワークが、第２の在圏移動体通信ネットワークを介してＷＬＡＮアクセスネットワークにアクセス許可メッセージを送信する、ことを含み、
第２の在圏移動体通信ネットワークにアクセスするステップは、アクセス許可メッセージを受信した後、ＷＬＡＮアクセスネットワークが、ＷＬＡＮ  ＵＥ及び第２の在圏移動体通信ネットワーク間の接続を確立し、ＷＬＡＮ  ＵＥ及び第１の在圏移動体通信ネットワーク間の接続を切断する、ことを含む
請求項１に記載の方法。
【請求項１２】
ＷＬＡＮアクセスネットワークがＷＬＡＮ  ＵＥ及び第２の在圏移動体通信ネットワークのアクセスした後、ＷＬＡＮ  ＵＥが、同時に複数の在圏移動体通信ネットワークにアクセスすることを許可されるかどうかを判定し、もしそうならば、ＷＬＡＮアクセスネットワークが、第１の在圏移動体通信ネットワークに切断メッセージを送信するかどうかを決定し、さもなければ、ＷＬＡＮ  ＵＥ及び第１の在圏移動体通信ネットワーク間の接続を切断する、ことを更に含む請求項１１に記載の方法。
【請求項１３】
ＷＬＡＮ  ＵＥが同時に複数の在圏移動体通信ネットワークとのアクセスを許可され、ＷＬＡＮ  ＵＥのホームネットワークが、第１の在圏移動体通信ネットワークに切断メッセージを送信しないことを決定する場合、第１の在圏移動体通信ネットワークを介してＷＬＡＮ  ＵＥを再認証する、及び／または、複数接続の存在をＷＬＡＮ  ＵＥに通知するため、通告情報を送信する、または何もしない、ことをさらに含む請求項３、９または１２の何れか１項に記載の方法。
【請求項１４】
ＷＬＡＮ  ＵＥの許可された同時接続最大値が予めセットされ、ＷＬＡＮ  ＵＥが同時に複数の在圏移動体通信ネットワークへのアクセスを許可されるならば、目下の接続数が同時接続最大値を上回るかどうかを判定し、もし上回らないならば、以降のオペレーションを継続し、さもなければ、直接、当該接続の認証要求を拒絶するか、当該接続の認証要求を配給し、目下のＷＬＡＮ  ＵＥに１または複数ある接続を切断することを通知する、ことを更に含む請求項３、５、９または１２の何れか１項に記載の方法。
【請求項１５】
１または複数の接続を切断することをＷＬＡＮ  ＵＥに通知した後、ネットワークが、対応するアクセスされた在圏移動体通信ネットワークを切断するか、相関選択情報により、第２の在圏移動体通信ネットワークを拒絶する、ことを更に含む請求項１４に記載の方法。
【請求項１６】
ＷＬＡＮ  ＵＥへの認証が成功した場合、第２の在圏移動体通信ネットワークにアクセスするステップは、
ｃ１．ＷＬＡＮアクセスネットワークが、第２の在圏移動体通信ネットワークからのアクセス許可メッセージが最初に受信したかどうかを判定し、もしそうならば、ステップｃ２に進み、切断メッセージを最初に受信したならば、ステップｃ３に進み、
ｃ２．第１の在圏移動体通信ネットワークに課金情報を収集及び送信し、そして、ＷＬＡＮ  ＵＥ及び第１の在圏移動体通信ネットワーク間の接続を切断し、そして、ＷＬＡＮ  ＵＥ及び第２の在圏移動体通信ネットワーク間の接続を確立し、
ｃ３．第１の在圏移動体通信ネットワークに課金情報を収集及び送信し、そして、ＷＬＡＮ  ＵＥ及び第１の在圏移動体通信ネットワーク間の接続を切断し、第２の在圏移動体通信ネットワークからのアクセス許可メッセージを待機し、そして、アクセス許可メッセージを受信した後、ＷＬＡＮ  ＵＥ及び第２の在圏移動体通信ネットワーク間の接続を確立する、
ことを含む請求項７、８または９の何れか１項に記載の方法。
【請求項１７】
ステップｃ３の前に、受信した切断メッセージが、成功した認証のために発生されたかどうかを判定し、もしそうならば、第２の在圏移動体通信ネットワークからのアクセス許可メッセージを待機し、アクセス許可メッセージを受信した後、第１の在圏移動体通信ネットワークに課金情報を収集及び送信し、ＷＬＡＮ  ＵＥ及び第１の在圏移動体通信ネットワーク間の接続を切断し、そして、ＷＬＡＮ  ＵＥ及び第２の在圏移動体通信ネットワーク間の接続を確立し、さもなければ、ステップｃ３に続く、
ことを含む請求項１６に記載の方法。
【請求項１８】
ＷＬＡＮ  ＵＥへの認証が失敗した場合、アクセス命令を送信するステップは、
ホームネットワークが、第１の在圏移動体通信ネットワークを介してＷＬＡＮアクセスネットワークに切断メッセージを送信し、第２の在圏移動体通信ネットワークを介してＷＬＡＮアクセスネットワークにアクセス拒絶メッセージを送信する、ことを含み、
第２の在圏移動体通信ネットワークにアクセスするステップは、ＷＬＡＮアクセスネットワークが、受信された切断メッセージによりＷＬＡＮ  ＵＥ及び第１の在圏移動体通信ネットワーク間の接続を切断し、受信されたアクセス拒絶メッセージによりＷＬＡＮ  ＵＥにアクセス拒絶メッセージを転送する、ことを含む
請求項１、７、８、９、１１または１２の何れか１項に記載の方法。
【請求項１９】
ＷＬＡＮ  ＵＥの認証が失敗した場合、アクセス命令を送信するステップは、
ホームネットワークが、第２の在圏移動体通信ネットワークを介してＷＬＡＮアクセスネットワークにアクセス拒絶メッセージを送信する、ことを含み、
第２の在圏移動体通信ネットワークにアクセスするステップは、ＷＬＡＮアクセスネットワークが、受信されたアクセス拒絶メッセージによりＷＬＡＮ  ＵＥにアクセス拒絶メッセージを転送する、ことを含む
請求項１、７、８、９、１１または１２の何れか１項に記載の方法。
【請求項２０】
ＷＬＡＮ  ＵＥの認証が失敗した場合、アクセス命令を送信するステップは、
ホームネットワークが、第２の在圏移動体通信ネットワークを介してＷＬＡＮアクセスネットワークにアクセス拒絶メッセージを送信し、そして、第１の在圏移動体通信ネットワークを介してＷＬＡＮアクセスネットワークに再認証要求を送信する、ことを含み、
第２の在圏移動体通信ネットワークにアクセスするステップは、ＷＬＡＮアクセスネットワークが、受信したアクセス拒絶メッセージによりＷＬＡＮ  ＵＥにアクセス拒絶メッセージを転送し、第１の在圏移動体通信ネットワークからの再認証要求に対して再認証する、ことを含む
請求項１、７、８、９、１１または１２の何れか１項に記載の方法。
【請求項２１】
ＷＬＡＮ  ＵＥへの認証が失敗した場合、アクセス命令を送信するステップは、
ホームネットワークが、第２の在圏移動体通信ネットワークを介してＷＬＡＮアクセスネットワークに再認証要求メッセージを送信する、ことを含み、
第２の在圏移動体通信ネットワークにアクセスするステップは、ＷＬＡＮアクセスネットワークが、第２の在圏移動体通信ネットワークからの再認証要求を再認証する、ことを含む
請求項１、７、８、９、１１または１２の何れか１項に記載の方法。
【請求項２２】
第２の在圏移動体通信ネットワークからアクセス許可メッセージを受信した場合、第２の在圏移動体通信ネットワークにアクセスするステップは、ＷＬＡＮアクセスネットワークが、リソース配置とＷＬＡＮアクセスネットワークがＷＬＡＮ  ＵＥと第２の在圏移動体通信ネットワーク間の接続を確立したパラメータ構成が完了したことを、第２の在圏移動体通信ネットワークに通知し、未起動のまま接続状態をセットし、
ＷＬＡＮ  ＵＥ及び第１の在圏移動体通信ネットワーク間の接続を切断した後、すぐにＷＬＡＮ  ＵＥ及び第２の在圏移動体通信ネットワーク間の確立した接続を起動する、ことを含む
請求項１に記載の方法。
【請求項２３】
第１の在圏移動体通信ネットワークは、ＷＬＡＮ  ＵＥ及びそのホームネットワーク、またはＷＬＡＮ  ＵＥのホームネットワークと接続している中央オペレーションネットワークである、請求項１に記載の方法。
【請求項２４】
通信ネットワークは、移動体通信ネットワークである、請求項１または２３に記載の方法。
【請求項２５】
ＷＬＡＮ  ＵＥを認証するステップは、
ホームネットワークのＡＡＡサーバーが第２の在圏移動体通信ネットワークからの認証要求に対して認証する、ことを含む請求項１に記載の方法。
【請求項２６】
通告情報を送信するステップは、或る既存の接続を介してＷＬＡＮ  ＵＥに通知を送信し、または、新規に確立した接続を介してＷＬＡＮ  ＵＥに通知を送信する、ことを含む請求項１３に記載の方法。
【請求項２７】
通知は、目下の接続総数及び／または接続の特定の選択情報を含む、請求項２６に記載の方法。
【請求項２８】
新しい通信ネットワークにアクセスするワイヤレスローカルエリアネットワーク（ＷＬＡＮ）の移動端末（ＵＥ）のシステムであって、
第１の在圏移動体通信ネットワークにアクセスしているＷＬＡＮ  ＵＥが第２の在圏移動体通信ネットワークとのアクセスを必要とする場合、ＷＬＡＮ  ＵＥは、ＷＬＡＮアクセスネットワークと第２の在圏移動体通信ネットワークとを介してＷＬＡＮ  ＵＥが位置するホームネットワークに認証情報を送信し、
認証情報を受信すると、ホームネットワークは、認証情報によりＷＬＡＮ  ＵＥを認証し、第２の在圏移動体通信ネットワークを介してＷＬＡＮアクセスネットワークにアクセス命令を送信し、
オペレーション命令を受信したら、ＷＬＡＮ  ＵＥは、ＷＬＡＮアクセスネットワークを介して第２の在圏移動体通信ネットワークにアクセスする、
ように構成されるシステム要素を含むシステム。
【手続補正２】
【補正対象書類名】明細書
【補正対象項目名】全文
【補正方法】変更
【補正の内容】
【発明の詳細な説明】
【技術分野】
【０００１】
本発明はオペレーションネットワーク選択技術に関するものであって、特に、新しいオペレーションネットワークを再選択するワイアレスローカルネットワーク（ＷＬＡＮ）の移動端末（ＵＥ）のための方法及びそのシステムに関する。
【背景技術】
【０００２】
ワイアレスアクセスレートのユーザーの要求がますます高くなっており、時代の要求として、比較的小さなエリアで、データのより高いワイアレスアクセスレートを提供することができるＷＬＡＮが出現した。ＷＬＡＮは多種の技術を含み、それらで最も広範囲に用いられた技術標準規格はＩＥＥＥ８０２．１１ｂであり、それは２．４ＧＨｚの周波数帯と最高１１Ｍｂｐｓのデータ伝送レートを用いる。同じ周波数帯を用いている他の技術標準規格はＩＥＥＥ８０２．１１ｇとＢｌｕｅｔｏｏｔｈを含み、そこでの、ＩＥＥＥ８０２．１１ｇのデータ伝送レートは最高５４Ｍｂｐｓである。例えばＩＥＥＥ８０２．１１ａやＥＴＳＩ  ＢＲＡＮ  Ｈｉｐｅｒｌａｎ２のようなＷＬＡＮの他の新しい標準規格は、５ＧＨｚの周波数帯を用い、同様に最高５４Ｍｂｐｓ迄可能な伝送レートを用いる。
【０００３】
ＷＬＡＮは多種のワイアレスアクセス技術を含むが、大部分のＷＬＡＮ技術はＩＰデータパケットをデータ伝送するために用いる。ワイアレスＩＰネットワークによって採用された特定のＷＬＡＮアクセス技術は、通常上層ＩＰレベルに対して透過的である。そのようなワイアレスＩＰネットワークは、通常、ＷＬＡＮ  ＵＥのワイアレスアクセスを実行するために、アクセスポイント（ＡＰ）、ＩＰデータ伝送を実行するための制御、そして接続機器によって構成される。
【０００４】
ＷＬＡＮの出現と発展に伴って、ＷＬＡＮとＧＳＭ、ＣＤＭＡ、ＷＣＤＭＡ、ＴＤ−ＳＣＤＭＡ、ＣＤＭＡ２０００等の、様々なワイレス移動体通信ネットワークとのインターワーキング（相互接続）が、研究の焦点になっている。ＷＬＡＮ及びワイアレス移動体通信ネットワークのこのインターワーキングネットワークは、また、インターワーキングＷＬＡＮ（Ｉ−ＷＬＡＮ）とも呼ばれ得る。本発明は、Ｉ−ＷＬＡＮに利用されるが、それに制限されない。３ＧＧＰ（第３のＧｅｎｅｒａｔｉｏｎ    Ｐａｒｔｎｅｒ  Ｐｒｏｊｅｃｔ）標準規格によれば、ＷＬＡＮ  ＵＥは、ＷＬＡＮのアクセスネットワークを介して、インターネットとイントラネットに接続し得るだけでなく、ＷＬＡＮアクセスネットワークを介し、３ＧＰＰシステムのホームネットワークと在圏ネットワークに接続し得る。具体的には、ローカルでアクセスする場合は、図２で示すように、ＷＬＡＮ  ＵＥは、ＷＬＡＮアクセスネットワークを介して、３ＧＰＰホームネットワークに接続することができ、ローミングの場合は、ＷＬＡＮ  ＵＥは、ＷＬＡＮアクセスネットワークを介して、３ＧＰＰシステムの在圏ネットワークに接続し得る。そして、３ＧＰＰ在圏ネットワークのエンティティのいくつかが３ＧＧＰホームネットワークの対応するエンティティと接続される、例えば３ＧＰＰ在圏ネットワークの３ＧＰＰ認証、許可、アカウンティング（ＡＡＡ）プロキシが３ＧＰＰホームネットワークの３ＧＰＰ  ＡＡＡサーバーと接続すると、図１で示すように、３ＧＰＰ在圏ネットワークのＷＬＡＮアクセスゲート（ＷＡＧ）は、３ＧＰＰホームネットワークのパケットデータゲート（ＰＤＧ）等と接続される。そこで、図１と図２はそれぞれローミング及びノンローミング環境下でのＷＬＡＮシステムと３ＧＰＰシステムのインターワーキングネットワークの構造を示している。
【０００５】
図１及び図２で示すように、３ＧＰＰシステムは、主として加入者サーバー（ＨＳＳ）／ホームロケーションレジスタ（ＨＬＲ）、３ＧＰＰ  ＡＡＡサーバー、３ＧＰＰ  ＡＡＡプロキシ、ＷＡＧ、ＰＤＧ、課金ゲートウェイ（ＣＧｗ）／課金情報収集機能（ＣＣＦ）そして、オンライン課金システム（ＯＣＳ）を備える。ＷＬＡＮ  ＵＥ、ＷＬＡＮアクセスネットワークと３ＧＰＰシステムの全てのエンティティは、総合的に３ＧＰＰ−ＷＬＡＮインターワーキングネットワークを構成しており、それはＷＬＡＮサービスシステムとして用い得る。このサービスシステムでは、３ＧＰＰ  ＡＡＡサーバーはＷＬＡＮ  ＵＥの認証、認可とアカウンティングを担当し、ＷＬＡＮアクセスネットワークからの課金情報を収集し、課金システムに課金情報を送信する、;ＰＤＧは、ＷＬＡＮアクセスネットワークから３ＧＰＰネットワークまたは他のパケットスイッチングネットワークまで、ユーザーのデータ伝送を担当する、;そして、課金システムはネットワークから送信されるユーザーの課金情報の送信及び記録を担当し、ＯＣＳはユーザーに課金されたオンライン料金に従って、周期的にオンライン課金情報を送信するようにネットワークへ命令することを担当し、一方で統計を行い、ネットワークを制御する。
【０００６】
ノンローミングの場合、ＷＬＡＮ  ＵＥが直接、インターネット／イントラネットにアクセスしたい場合、認証がＷＬＡＮアクセスネットワークを介して、ＡＡＡサーバー（ＡＳ）で処理した後、ＷＬＡＮ  ＵＥは、ＷＬＡＮアクセスネットワークを介して、インターネット／イントラネットにアクセスし得る。もし、ＷＬＡＮ  ＵＥが同様に３ＧＰＰ  ＰＳドメインのサービスにアクセスしたいならば、３ＧＰＰホームネットワークからシナリオ３のサービスをさらに要求すべきであり、： ＷＬＡＮ  ＵＥは３ＧＰＰホームネットワークのＡＳにシナリオ３のサービス許可要求を送信し、ＡＳはサービス許可要求に対し認証と許可を配給する、もし認証と許可が成功していれば、ＡＳはＷＬＡＮ  ＵＥにアクセス許可メッセージを送って、ＷＬＡＮ  ＵＥに対応するＰＧＤを指定する、ことを含む。指定さられたＰＤＧでトンネルを確立した後に、ＷＬＡＮ  ＵＥは、３ＧＰＰ  ＰＳドメインサービスにアクセスし得る。同時に、ＣＧｗ／ＣＣＦとＯＣＳはＷＬＡＮ  ＵＥによるネットワークの使用に従って課金情報を記録する。ローミングの場合に、もしＷＬＡＮ  ＵＥが直接、インターネット／イントラネットにアクセスしたいならば、ＷＬＡＮ  ＵＥはインターネット／イントラネットにアクセスするために、３ＧＰＰ在圏ネットワークを介して、３ＧＰＰホームネットワークに要求するだろう。もし、ＷＬＡＮ  ＵＥが同様にシナリオ３のサービスを要求している３ＧＰＰ  ＰＳドメインサービスにアクセスしたいならば、ＷＬＡＮ  ＵＡは３ＧＰＰホームネットワークに、３ＧＰＰ圏内ネットワークを介して、サービス認証手順を開始する必要があり、同様に手順はＷＬＡＮ  ＵＥと３ＧＰＰホームネットワークのＡＳ間でも実行される。認証手順が成功した後、ＡＳはＷＬＡＮ  ＵＥに対応するホームＰＧＤを指定し、そして指定されたＰＤＧによるトンネルが３ＧＰＰアクセスネットワークのＷＡＧを介して確立され、ＷＬＡＮ  ＵＥは３ＧＰＰ  ＰＳドメインサービスにアクセスし得る。
【０００７】
３ＧＰＰ−ＷＬＡＮインターワーキングネットワークにおいて、もしＷＬＡＮ  ＵＥが、複数の移動体通信ネットワークを照会する複数の３ＧＰＰ在圏ネットワークに接続すれば、自身の要求によってアクセスするために適当な移動体通信ネットワークを選択しているＷＬＡＮ  ＵＥには、図３と図４に各々示すように、２つのスキームがある。図３は、アクセスするために、直接、移動体通信ネットワークを選択しているＷＬＡＮ  ＵＥを表示している成功したプロセスを表す、ことを含む：
【０００８】
ステップ３０１−３０３：ＷＬＡＮ  ＵＥとＷＬＡＮアクセスネットワーク、またはネットワーク、またはＷＬＡＮ  ＵＥ間の確立しているワイアレス接続がアクセス認証手順を開始した後、ＷＬＡＮアクセスネットワークはＷＬＡＮ  ＵＥにユーザーＩＤ要求パケットを送信する、;そして、要求パケットを受信した後に、ＷＬＡＮ  ＵＥは、ネットワーク選択情報をＷＬＡＮアクセスネットワークに伝えるユーザーＩＤ応答パケットを返信する。ここで、ネットワーク選択情報は、ＷＬＡＮネットワークと接続している移動体通信ネットワークの情報と、目下のＷＬＡＮ  ＵＥによってアクセスすることも、照会される、;ＷＬＡＮアクセスネットワークとＷＬＡＮ  ＵＥ間のアクセス認証手順は、拡張性認証プロトコル（ＥＡＰ）手順に基づかれる。一般に、ネットワーク選択情報は、ネットワークアクセスＩＤ（ＮＡＩ）フォーマットによって定義されるユーザーＩＤフィールドに伝える。
【０００９】
ステップ３０４−３０６：ＷＬＡＮ  ＵＥから送信されるパケットを受信した後に、ＷＬＡＮアクセスネットワークは、パケットのネットワーク選択情報がＷＬＡＮと接続している目下の移動体通信ネットワークに属しているかどうか判定し、もし属していれば、ＷＬＡＮアクセスネットワークは、ＮＡＩを介して、ＷＬＡＮ  ＵＥによって選択された移動体通信ネットワークの３ＧＰＰ ＡＡＡエージェント、または３ＧＰＰ ＡＡＡサーバーを決定し、それから、決定された３ＧＰＰ ＡＡＡエージェントまたは３ＧＰＰ ＡＡＡサーバーに、ユーザーＩＤとアクセス認証要求を送信し、３ＧＰＰ  ＡＡＡエージェント、または３ＧＰＰ ＡＡＡサーバーをアクセスしている目下のＷＬＡＮ  ＵＥも認証する、;もし認証が通過すれば、以降のアクセス手順は完了されるだろう。
【００１０】
図４は、最初の選択が失敗したとき、送信されたネットワーク選択情報によってアクセスするため、移動体通信ネットワークを再選択しているＷＬＡＮ  ＵＥを表示しているプロセスを示す、ことを含む、：
【００１１】
ステップ４０１−４０３：これらのステップは、全くステップ３０１−３０３と同じである。
【００１２】
ステップ４０４−４０５：ＷＬＡＮ  ＵＥから送信されたパケットを受信した後に、ＷＬＡＮアクセスネットワークが、パケットのネットワーク選択情報が目下のＷＬＡＮアクセスネットワークと接続している移動体通信ネットワークに属していないことに気付くと、ＷＬＡＮ  ＵＥに接続されている全ての移動体通信ネットワークの情報を含んでいるネットワーク通知信号を送信する。
【００１３】
ステップ４０６−４０７：信号を受信すると、ＷＬＡＮ  ＵＥは、情報信号に含まれる移動体通信ネットワークの情報によってアクセスするため、移動体通信ネットワークを再選択し、それから、ＷＬＡＮアクセスネットワークに、新規選択されたネットワークの選択情報を運ぶユーザーＩＤ応答パケットを送信する。
【００１４】
ステップ４０８−４０９：これらのステップは、全くステップ３０５−３０６と同じである。
【発明の開示】
【発明が解決しようとする課題】
【００１５】
ＷＬＡＮ  ＵＥにとって、３ＧＰＰ−ＷＬＡＮインターワーキングネットワークでアクセスネットワークを選択する、比較的全体の流れが上記スキームから理解し得る、ところが、或るＷＬＡＮアクセスネットワークが同時に、複数のＶＰＬＭＮに接続した場合や、或るＷＬＡＮ  ＵＥがＷＬＡＮアクセスネットワークを介して、これらのＶＰＬＭＮネットワークのうち1つにアクセスした後に、ＷＬＡＮ  ＵＥが、例えば課金、アクセスサービスの範囲等の異なる理由のため、接続している目下のＶＰＬＭＮネットワークを切断し、ＷＬＡＮアクセスネットワークと接続する他のＶＰＬＭＮネットワークを再選択する必要があるかもしれない、;または、目下のＷＬＡＮ  ＵＥは、ＶＰＬＭＮ1を介してサービスＡにアクセスし、同時に、ＶＰＬＭＮ２を介してサービスＢにアクセスすると考えるかもしれない。上記の問題を解決する特定のスキームは、現在提案されていない。
【課題を解決するための手段】
【００１６】
本発明の技術スキームは、以下のように実行される。
【００１７】
新しい移動体通信ネットワークにアクセスするＷＬＡＮ  ＵＥの対話型方法は、以下の内容を含む。
【００１８】
第１の在圏移動体通信ネットワークにアクセスしているＷＬＡＮ  ＵＥが第２の在圏移動体通信ネットワークとのアクセスを必要とする場合、ＷＬＡＮ  ＵＥは、ＷＬＡＮアクセスネットワークと第２の在圏移動体通信ネットワークとを介してＷＬＡＮ  ＵＥが位置するホームネットワークに認証情報を送信する。
【００１９】
認証情報を受信すると、ホームネットワークは、認証情報によりＷＬＡＮ  ＵＥを認証し、第２の在圏移動体通信ネットワークを介してＷＬＡＮアクセスネットワークにアクセス命令を送信する。
【００２０】
アクセス命令を受信したら、ＷＬＡＮ  ＵＥは、ＷＬＡＮアクセスネットワークを介して第２の在圏移動体通信ネットワークにアクセスする。
【００２１】
上記の方法を実行するためにいくつかの代替方法があり、それは以下の通りである。
【００２２】
最初のケースは、  ホームネットワークがＷＬＡＮ  ＵＥを認証する前に、ＷＬＡＮ  ＵＥのホームネットワークが、第１の在圏移動体通信ネットワークに切断メッセージを送信し、ＷＬＡＮ  ＵＥ及び第１の在圏移動体通信ネットワーク間の接続を切断する、ことを更に含み、アクセス命令を送信するステップは、ホームネットワークが第２の在圏移動体通信ネットワークを介してＷＬＡＮアクセスネットワークにアクセス許可メッセージかアクセス拒絶メッセージを送信する、ことを含み、２番目の在圏移動体通信ネットワークにアクセスするステップは、ＷＬＡＮアクセスネットワークが、アクセス許可メッセージを受信したかどうかを判定し、もしそうならば、ＷＬＡＮ  ＵＥ及び第２の在圏移動体通信ネットワーク間の接続を確立し、さもなければ、ＷＬＡＮ  ＵＥにアクセス拒絶メッセージを転送する、ことを更に含む。
【００２３】
第２のケースは、ホームネットワークがＷＬＡＮ  ＵＥを認証する前に、同時に複数の在圏移動体通信ネットワークにアクセスすることをＷＬＡＮ  ＵＥが許可されたかどうかを判定し、もしそうならば、ＷＬＡＮ  ＵＥのホームネットワークが、第１の在圏移動体通信ネットワークに切断メッセージを送信するかどうかを決定し、さもなければ、ＷＬＡＮ  ＵＥのホームネットワークが、第１の在圏移動体通信ネットワークに切断メッセージを送信し、ＷＬＡＮ  ＵＥ及び第１の在圏移動体通信ネットワーク間の接続を切断する、ことを更に含む。
【００２４】
第３のケースは、ホームネットワークがＷＬＡＮ  ＵＥを認証する前に、ホームネットワークが、第２の在圏移動体通信ネットワークからの認証要求に対して認証を許可するかどうかを判定し、もし許可されるならば、第２の在圏移動体通信ネットワークからの認証要求に対して認証オペレーションを継続し、もし許可されないならば、アクセス命令を送信するステップは、ホームネットワークが、第２の在圏移動体通信ネットワークを介してＷＬＡＮアクセスネットワークにアクセス拒絶メッセージを送信する、ことを含み、第２の在圏移動体通信ネットワークにアクセスするステップは、ＷＬＡＮアクセスネットワークがＷＬＡＮ  ＵＥにアクセス拒絶メッセージを転送する、方法を更に含む。
【００２５】
判定ステップは、同時に複数の在圏移動体通信ネットワークとアクセスすることをＷＬＡＮ  ＵＥに許可するかどうかを判定し、もし許可されると、第２の在圏移動体通信ネットワークからの認証要求に対して認証を許可するかどうかを判定し、そして、もし認証要求に対して認証が許可されないならば、第２の在圏移動体通信ネットワークからの認証要求に対する認証は、許可されない、ことを更に含む。
【００２６】
アクセス拒絶メッセージは、拒絶理由を含む情報を更に運ぶ。
【００２７】
第４のケースは、ＷＬＡＮ  ＵＥに対する認証が成功した後、アクセス命令を送信するステップは、ホームネットワークが、第２の在圏移動体通信ネットワークを介してＷＬＡＮアクセスネットワークにアクセス許可メッセージを送信する、ことを含み、第２の在圏移動体通信ネットワークにアクセスするステップは、受信したアクセス許可メッセージにより、ＷＬＡＮアクセスネットワークが、ＷＬＡＮ  ＵＥ及び第２の在圏移動体通信ネットワーク間の接続を確立する、ことを含む。
【００２８】
第２の在圏移動体通信ネットワークにアクセス許可メッセージを送信している間、ホームネットワークは、第１の在圏移動体通信ネットワークを介してＷＬＡＮアクセスネットワークに切断メッセージを送信し、第２の在圏移動体通信ネットワークにアクセスするステップは、ＷＬＡＮ  ＵＥ及び第１の在圏移動体通信ネットワーク間の接続を切断する、ことをさらに含む。
【００２９】
本スキームでは、第１の在圏移動体通信ネットワークを介してＷＬＡＮアクセスネットワークに切断メッセージを送信する前に、ＷＬＡＮ  ＵＥが同時に複数の在圏移動体通信ネットワークとアクセスすることを許可するかどうかを判定し、もしそうならば、ＷＬＡＮ  ＵＥのホームネットワークは、ユーザー選択により第１の在圏移動体通信ネットワークに切断メッセージが送信されるかどうかを決定し、さもなければ、ホームネットワークは、第１の在圏移動体通信ネットワークを介してＷＬＡＮアクセスネットワークに切断メッセージを送信する、ことを更に含む。
【００３０】
本スキームでは、在圏移動体通信ネットワークを介してＷＬＡＮ  ＵＥのために再認証を実行する、及び／または、複数の接続が存在していることをＷＬＡＮ  ＵＥに通知するために、一つの通告情報を送信する、または何もしない、ことを更に含む。
【００３１】
第５のケースは、ＷＬＡＮ  ＵＥに対して認証が成功した後、アクセス命令を送信するステップは、ホームネットワークが、第２の在圏移動体通信ネットワークを介してＷＬＡＮアクセスネットワークにアクセス許可メッセージを送信する、ことを含み、第２の在圏移動体通信ネットワークにアクセスするステップは、アクセス許可メッセージを受信した後、ＷＬＡＮアクセスネットワークが、ＷＬＡＮ  ＵＥ及び第２の在圏移動体通信ネットワーク間の接続を確立し、ＷＬＡＮ  ＵＥ及び第１の在圏移動体通信ネットワーク間の接続を切断する、ことを含む。
【００３２】
ＷＬＡＮアクセスネットワークがＷＬＡＮ  ＵＥ及び第２の在圏移動体通信ネットワークのアクセスした後、ＷＬＡＮ  ＵＥが、同時に複数の在圏移動体通信ネットワークにアクセスすることを許可されるかどうかを判定し、もしそうならば、ＷＬＡＮアクセスネットワークが、第１の在圏移動体通信ネットワークに切断メッセージを送信するかどうかを決定し、さもなければ、ＷＬＡＮ  ＵＥ及び第１の在圏移動体通信ネットワーク間の接続を切断する、ことを更に含む。
【００３３】
上記スキームでは、ＷＬＡＮ  ＵＥが同時に複数の在圏移動体通信ネットワークとのアクセスを許可され、ＷＬＡＮ  ＵＥのホームネットワークが、第１の在圏移動体通信ネットワークに切断メッセージを送信しないことを決定する場合、第１の在圏移動体通信ネットワークを介してＷＬＡＮ  ＵＥを再認証する、及び／または、複数接続の存在をＷＬＡＮ  ＵＥに通知するため、通告情報を送信する、または何もしない、ことをさらに含む。
【００３４】
そこで、アクセス命令を送信するステップは、或る既存の接続を介してＷＬＡＮ  ＵＥに通知を送信し、または、新規に確立した接続を介してＷＬＡＮ  ＵＥに通知を送信する、ことを含む。その通知は、目下の接続総数及び／または接続の特定の選択情報、を含む。
【００３５】
上記スキームでは、ＷＬＡＮ  ＵＥの許可された同時接続最大値が予めセットされ、ＷＬＡＮ  ＵＥが同時に複数の在圏移動体通信ネットワークへのアクセスを許可されるならば、目下の接続数が同時接続最大値を上回るかどうかを判定し、もし上回らないならば、以降のオペレーションを継続し、さもなければ、直接、当該接続の認証要求を拒絶するか、当該接続の認証要求を配給し、目下のＷＬＡＮ  ＵＥに１または複数ある接続を切断することを通知する、ことを更に含む。
【００３６】
上記スキームで、第２の在圏移動体通信ネットワークからの認証要求への認証が成功した場合、第２の在圏移動体通信ネットワークにアクセスするステップは、以下のｃ１〜ｃ３を含む。
【００３７】
ｃ１．ＷＬＡＮアクセスネットワークが、第２の在圏移動体通信ネットワークからのアクセス許可メッセージが最初に受信したかどうかを判定し、もしそうならば、ステップｃ２に進み、切断メッセージを最初に受信したならば、ステップｃ３に進む。
【００３８】
ｃ２．第１の在圏移動体通信ネットワークに課金情報を収集及び送信し、そして、ＷＬＡＮ  ＵＥ及び第１の在圏移動体通信ネットワーク間の接続を切断し、そして、ＷＬＡＮ  ＵＥ及び第２の在圏移動体通信ネットワーク間の接続を確立する。
【００３９】
ｃ３．第１の在圏移動体通信ネットワークに課金情報を収集及び送信し、そして、ＷＬＡＮ  ＵＥ及び第１の在圏移動体通信ネットワーク間の接続を切断し、第２の在圏移動体通信ネットワークからのアクセス許可メッセージを待機し、そして、アクセス許可メッセージを受信した後、ＷＬＡＮ  ＵＥ及び第２の在圏移動体通信ネットワーク間の接続を確立する。
【００４０】
ステップｃ３の前に、受信した切断メッセージが、成功した認証のために発生されたかどうかを判定し、もしそうならば、第２の在圏移動体通信ネットワークからのアクセス許可メッセージを待機し、アクセス許可メッセージを受信した後、第１の在圏移動体通信ネットワークに課金情報を収集及び送信し、ＷＬＡＮ  ＵＥ及び第１の在圏移動体通信ネットワーク間の接続を切断し、そして、ＷＬＡＮ  ＵＥ及び第２の在圏移動体通信ネットワーク間の接続を確立し、さもなければ、ステップｃ３に続く、ことを含む。
【００４１】
上記スキームでは、認証情報への認証が失敗した場合、アクセス命令を送信するステップは、ホームネットワークが、第１の在圏移動体通信ネットワークを介してＷＬＡＮアクセスネットワークに切断メッセージを送信し、第２の在圏移動体通信ネットワークを介してＷＬＡＮアクセスネットワークにアクセス拒絶メッセージを送信する、ことを含み、第２の在圏移動体通信ネットワークにアクセスするステップは、ＷＬＡＮアクセスネットワークが、受信された切断メッセージによりＷＬＡＮ  ＵＥ及び第１の在圏移動体通信ネットワーク間の接続を切断し、受信されたアクセス拒絶メッセージによりＷＬＡＮ  ＵＥにアクセス拒絶メッセージを転送する、ことを含む。
【００４２】
上記スキームでは、認証情報への認証が失敗した場合、アクセス命令を送信するステップは、ホームネットワークが、第２の在圏移動体通信ネットワークを介してＷＬＡＮアクセスネットワークにアクセス拒絶メッセージを送信する、ことを含み、第２の在圏移動体通信ネットワークにアクセスするステップは、ＷＬＡＮアクセスネットワークが、受信されたアクセス拒絶メッセージによりＷＬＡＮ  ＵＥにアクセス拒絶メッセージを転送する、ことを含む。
【００４３】
上記スキームでは、認証情報への認証が失敗した場合、アクセス命令を送信するステップは、ホームネットワークが、第２の在圏移動体通信ネットワークを介してＷＬＡＮアクセスネットワークにアクセス拒絶メッセージを送信し、そして、第１の在圏移動体通信ネットワークを介してＷＬＡＮアクセスネットワークに再認証要求を送信する、ことを含み、第２の在圏移動体通信ネットワークにアクセスするステップは、ＷＬＡＮアクセスネットワークが、受信したアクセス拒絶メッセージによりＷＬＡＮ  ＵＥにアクセス拒絶メッセージを転送し、第１の在圏移動体通信ネットワークからの再認証要求に対して再認証する、ことを含む。
【００４４】
上記スキームでは、認証情報への認証が失敗した場合、アクセス命令を送信するステップは、ホームネットワークが、第２の在圏移動体通信ネットワークを介してＷＬＡＮアクセスネットワークに再認証要求メッセージを送信する、ことを含み、第２の在圏移動体通信ネットワークにアクセスするステップは、ＷＬＡＮアクセスネットワークが、第２の在圏移動体通信ネットワークからの再認証要求を再認証する、ことを含む。
【００４５】
上記スキームでは、第２の在圏移動体通信ネットワークからアクセス許可メッセージを受信した場合、第２の在圏移動体通信ネットワークにアクセスするステップは、ＷＬＡＮアクセスネットワークが、リソース配置とＷＬＡＮアクセスネットワークがＷＬＡＮ  ＵＥと第２の在圏移動体通信ネットワーク間の接続を確立したパラメータ構成が完了したことを、第２の在圏移動体通信ネットワークに通知し、未起動のまま接続状態をセットし、ＷＬＡＮ  ＵＥ及び第１の在圏移動体通信ネットワーク間の接続を切断した後、すぐにＷＬＡＮ  ＵＥ及び第２の在圏移動体通信ネットワーク間の確立した接続を起動する、ことを含む。
【００４６】
上記スキームでは、第１の在圏移動体通信ネットワークは、ＷＬＡＮ  ＵＥ及びそのホームネットワーク、またはＷＬＡＮ  ＵＥのホームネットワークと接続している中央オペレーションネットワークである。
【００４７】
上記スキームでは、ＷＬＡＮ  ＵＥを認証するステップは、ホームネットワークのＡＡＡサーバーが第２の在圏移動体通信ネットワークからの認証要求に対して認証する、ことを含む。
【００４８】
本発明の第２の見方より、新しい通信ネットワークにアクセスするＷＬＡＮ  ＵＥのシステムであって、第１の在圏移動体通信ネットワークにアクセスしているＷＬＡＮ  ＵＥが第２の在圏移動体通信ネットワークとのアクセスを必要とする場合、ＷＬＡＮ  ＵＥは、ＷＬＡＮアクセスネットワークと第２の在圏移動体通信ネットワークとを介してＷＬＡＮ  ＵＥが位置するホームネットワークに認証情報を送信し、認証情報を受信すると、ホームネットワークは、認証情報によりＷＬＡＮ  ＵＥを認証し、第２の在圏移動体通信ネットワークを介してＷＬＡＮアクセスネットワークにアクセス命令を送信し、オペレーション命令を受信したら、ＷＬＡＮ  ＵＥは、ＷＬＡＮアクセスネットワークを介して第２の在圏移動体通信ネットワークにアクセスするように構成されるシステム要素を含むシステム。
【発明の効果】
【００４９】
本発明によりオペレーションネットワークを再選択しているＷＬＡＮ  ＵＥのための対話型方法は、目下のＷＬＡＮ  ＵＥのホームネットワークにおいてＡＡＡサーバーに微量の修正をもたらし、ＷＬＡＮ  ＵＥによる在圏移動体通信ネットワーク再選択を達成するために、ＡＡＡサーバーがＷＬＡＮ  ＰＬＭＮの既存の選択手順と協力することを可能にする。
【００５０】
本発明によって明らかにされた技術スキームでは、ＷＬＡＮアクセスネットワークは先の在圏移動体通信ネットワークとの接続を切断しないで、新規の在圏移動体通信ネットワークで直接、認証とアクセス手順を実行することができ、このように、ＷＬＡＮ  ＵＥと外部サービスを切断する接続時間は短く、または除かれさえし、在圏通信ネットワークの円滑な再選択手順が実現される。更に、本発明は異なったＰＬＭＮを介して、ＷＬＡＮ  ＵＥに複数の接続を確立することの提供も行い、そしてクライアントの満足感を改善するだけでなく、課金の正確性を向上させ、オペレーターの利益を保護するかもしれない。
【００５１】
その上、本発明はただ、例えばＷＬＡＮ  ＵＥ、ＷＬＡＮアクセスネットワーク、そしてＡＡＡサーバーのような、各々のネットワークエンティティに、若干の小さな修正もたらすか、比較的小さな機能要求を加える、そしてそれは既存のプロセスフローに殆ど影響がない。したがって、本発明はＷＬＡＮ  ＵＥにとってアクセスしたオペレーションネットワークの再選択機能を実現するだけでなく、非常に強い実施性を有する。更に、本発明は多数の実行代替を有し、このように、本発明の実行は非常に柔軟性を有し得る。
【発明を実施するための最良の形態】
【００５２】
本発明の技術スキームとアドバンテージをより明白に且つ明確にするために、本発明は実施形態と添付図面に言及し、以下に詳述しよう。
【００５３】
本発明の基本的な考えは、：在圏移動体通信ネットワークの再選択が必要であるＷＬＡＮ  ＵＥはＷＬＡＮアクセスネットワークと新規選択された在圏移動体通信ネットワークを介して、ＷＬＡＮ  ＵＥのホームネットワークに、認証プロセスを開始し、ＷＬＡＮ  ＵＥと目下の接続しているＷＬＡＮによって再選択される、；そして認証要求を受信した後、前もって保存した相関認証情報や、認証結果や、目下のＷＬＡＮ  ＵＥが同時に複数の接続を許可されているかどうかの状況によって、ホームネットワークは要求を開始したＷＬＡＮ  ＵＥと先の在圏移動体通信ネットワーク間の接続を切断するかどうか決定する、；そして、要求を開始したＷＬＡＮ  ＵＥと新規在圏移動体通信ネットワーク間の接続をセットアップするかどうか決定する。このように、新規在圏移動体通信ネットワークに対するＷＬＡＮ  ＵＥのアクセスは完了する。ここで、予め保存された相関認証情報はユーザー加入情報や、予めセットされたネットワークアクセス規則等に、照会される。
【００５４】
本発明では、ネットワーク再選択を実行しているＷＬＡＮ  ＵＥの前提条件は、ＷＬＡＮ  ＵＥが目下の在圏移動体通信ネットワークであり、第１の在圏移動体通信ネットワークと呼ばれるネットワークにアクセスしていることである。ここでは、目下のアクセスしている在圏移動体通信ネットワークはアクセスネットワークとなり得る、そして中央オペレーションネットワークと呼ばれ、ＷＬＡＮ  ＵＥと、例えばＷＰＬＭＮのような、そのホームネットワークを接続する、；または、目下のＷＬＡＮ  ＵＥのＨＰＬＭＮともなり得る。そこで、ＷＬＡＮ  ＵＥのホームネットワークで認証を実行しているエンティティは、ＡＡＡサーバーになり得る、その上、エンティティは３ＧＰＰ−ＷＬＡＮインターワーキングにおいて、３ＧＰＰ  ＡＡＡサーバーになり得る。
【００５５】
第２の在圏移動体通信ネットワークと呼ばれる在圏通信オペレーションネットワークを再選択しているＷＬＡＮ  ＵＥにはいくつかの理由がある、例えば目下の在圏移動体通信ネットワークにアクセスする料金が他の在圏移動体通信ネットワークより高いという場合は、ＷＬＡＮ  ＵＥは目下のアクセスしている在圏移動体通信ネットワークから他の在圏移動体通信ネットワークに転換することを望むかもしれない。他のケースでは、目下のアクセスしている在圏移動体通信ネットワークはインターネットをアクセスするためにＷＬＡＮ  ＵＥにとって若干の規制があるため、ＷＬＡＮ  ＵＥは目下のアクセスしている在圏移動体通信ネットワークから他の在圏移動体通信ネットワークに転換することを望むかもしれない。さらに別のケースでは、目下のアクセスしている在圏移動体通信ネットワークはＰＬＭＮにおいて、或るサービスでインタラクション能力を提供し得ないが、他の在圏移動体通信ネットワークはその能力を供給し得る、；または、更に別のケースでは、データ伝送率が遅い間は、目下のアクセスしている在圏移動体通信ネットワークの料金が比較的安価であるが、実用的なアプリケーションは、高速度のアクセスが必要とされる、このような場合、ＷＬＡＮ  ＵＥはより高速度データ率を持つ、より高価な在圏移動体通信ネットワークを選択する必要があるかもしれない。例えば、上述した転換は、そのＨＰＬＭＮからＶＰＬＵＮへの転換、またはＶＰＬＭＮ１からＶＰＬＭＮ２への転換、またはＶＰＬＭＮからＨＰＬＵＮへの転換となり得る。
【００５６】
目下のＷＬＡＮ  ＵＥが同時に複数の接続を許可されている、例えば、ＷＬＡＮ  ＵＥが二つの異なったＶＰＬＭＮを介してＨＰＬＭＮにアクセスする、つまりＶＰＬＭＮ１とＶＰＬＭＮ２を同時に、それからＷＬＡＮ  ＵＥは安価な料金でＶＰＬＭＮ１を使用してインターンネットにアクセスできるならば；ＶＰＬＭＮ１によってサポートされていないＳＭＳサービスの間、ＷＬＡＮ  ＵＥは同時にＳＭＳをサポートしているＶＰＬＭＮ２を採用し得る。この環境下で、ＶＰＬＭＮ１とＶＰＬＭＮ２は各々実行したサービスによりＷＬＡＮ  ＵＥに請求し、ＷＬＡＮ  ＵＥは異なるＮＡＩ  ＩＤを使用している或るサービスをアクセスするため、ＶＰＬＭＮ１かＶＰＬＭＮ２を選択し得る 。ここでは、同時にサポートされた複数の接続は、ＨＰＬＭＮとＶＰＬＵＮによる接続、または異なったＶＰＬＭＮによる接続、となし得る：ＶＰＬＭＮ１，ＶＰＬＭＮ２・・・ＶＰＬＭＮｎと。
【００５７】
図５で示すように、本発明により移動体通信ネットワークを再選択しているＷＬＡＮ  ＵＥのプロセスは以下のステップを含む：
【００５８】
ステップ５０１：再選択された在圏移動体通信ネットワークを決定すると、新規在圏ネットワークの選択を必要としているＷＬＡＮ  ＵＥはＷＬＡＮアクセスネットワークにアクセス認証プロセスを開始し、そしてＷＬＡＮアクセスネットワークに新規選択された在圏移動体通信ネットワークの情報を送信する。そこで、新規選択された在圏移動体通信ネットワークの情報は、要求メッセージを送信でき、直接ＷＬＡＮアクセスネットワークに運び得る、；代わりに、ＷＬＡＮアクセスネットワークとＷＬＡＮ  ＵＥ間のＥＡＰ手順中に、応答パケットを介し、ＷＬＡＮアクセスネットワークに送信し得る。
【００５９】
ステップ５０２：ＷＬＡＮ  ＵＥの要求を受信すると、ＷＬＡＮアクセスネットワークはＷＬＡＮ  ＵＥによってアクセスするため、新規選択された在圏移動体通信ネットワークを介して、目下のＷＬＡＮ  ＵＥのホームネットワークに認証要求を開始する。
【００６０】
ステップ５０３：認証要求を受信すると、ホームネットワークは目下のＷＬＡＮ  ＵＥによって新規選択された在圏移動体通信ネットワークからの認証要求に対し認証オペレーションを実行し、異なった在圏移動体通信ネットワークを介して、つまりアクセスされた在圏移動体通信ネットワークと新規選択された在圏移動体通信ネットワークを介して、ＷＬＡＮアクセスネットワークにアクセス命令を送信する。
【００６１】
ステップ５０４：ＷＬＡＮ  ＵＥのホームネットワークから送信されたアクセス命令を受信すると、ＷＬＡＮアクセスネットワークはアクセス命令により、ＷＬＡＮ  ＵＥと対応する在圏移動体通信ネットワーク間の切断と／またはアクセスのプロセスを完了する。
【００６２】
本発明で述べられる在圏移動体通信ネットワークは、移動体通信ネットワークや他のケーブル通信オペレーションネットワークとなり得る。以下に、本発明による方法の実行手順は、事例として移動体通信ネットワークを用いることにより、詳細に例示されるだろう、他の通信ネットワークの実行手順は基本的に移動体通信ネットワークと似ている。
【００６３】
ＷＬＡＮ  ＵＥの特定の実行手順は図６に示される、そしてそれは以下の手順を含む、：
【００６４】
ステップ６０１：新規アクセスネットワークの再選択を必要としているＷＬＡＮ  ＵＥはアクセスするために、新規選択された移動体通信ネットワークを決定する、；それから、ＷＬＡＮ  ＵＥはＷＬＡＮアクセスネットワークにアクセス認証要求を送信し、ＷＬＡＮ  ＵＥが新規移動体通信ネットワークにアクセスする必要があることを示す。例えば、新規選択されたネットワークがＨＰＬＭＮであるならば、既にＶＰＬＭＮ１に接続している間、選択しているＶＰＬＭＮ２は、ＷＬＡＮ  ＵＥが新規ＶＰＬＭＮ２を介して、ＨＰＬＭＮにアクセスすることを望んでいることを通知する、ＷＬＡＮ  ＵＥが直接ＨＰＬＭＮにアクセスすることを望んでいることを意味する。ここでは、ＷＬＡＮ  ＵＥが既存接続から新規接続に転換することを選択し得る、またネットワーク能力と／または加入情報により、同時に２または複数の接続をサポートするために選択し得る。
【００６５】
そこで、ＷＬＡＮ  ＵＥによって目下のアクセスしている３ＧＰＰ移動体通信ネットワークは、在圏ネットワークまたはＷＬＡＮ  ＵＥのホームネットワークになり得る。
【００６６】
ステップ６０２：ＷＬＡＮアクセスネットワークがアクセス認証要求を受信した後、アクセス認証手順はＷＬＡＮアクセスネットワークとＷＬＡＮ  ＵＥ間で実行される、即ち、特にＥＡＰ手順が用いられる、：ＷＬＡＮアクセスネットワークは、ＷＬＡＮ  ＵＥに要求ＵＩＤパケットを送信する、;そして、要求パケットを受信すると、ＷＬＡＮ  ＵＥはＷＬＡＮアクセスネットワークに新規選択された移動体通信ネットワークの情報を含んでいるＵＩＤ応答パケットを送信する。同様に、移動体通信ネットワークの情報をＮＡＩフォーマットによりＵＩＤフィールドでセットされ得る。
【００６７】
ステップ６０３：目下のＷＬＡＮ  ＵＥによって新規選択された移動体通信ネットワークを介して、ＷＬＡＮアクセスネットワークは認証を実行するため目下のＷＬＡＮ  ＵＥのホームネットワークへアクセス認証要求を送信する、：ＷＬＡＮアクセスネットワークは新規移動体通信ネットワークのＡＡＡエージェントにアクセス認証要求を送信する、;そして、要求を受信した後、ＡＡＡエージェントはＷＬＡＮ  ＵＥのホームネットワークでＡＡＡサーバーに認証要求を送信し、その後認証手順はＡＡＡサーバーによって実行される、ことを特に含む。
【００６８】
ステップ６０４−６０６：認証要求を受信すると、ＷＬＡＮ  ＵＥのホームネットワークは、要求の情報により新規選択された移動体通信ネットワークからの要求が認証要求であるかどうか決定し、もし要求が新規選択された移動体通信ネットワークを介した認証要求であれば、ホームネットワークは、目下のＷＬＡＮ  ＵＥによって新規選択された移動体通信ネットワークからの認証要求に対し、認証オペレーションを実行する、そして異なった移動体通信ネットワーク、即ちアクセスされた移動体通信ネットワークと新規選択された移動体通信ネットワークを介して、ＷＬＡＮアクセスネットワークにアクセス命令を送信する、;そして、目下のＷＬＡＮ  ＵＥからホームネットワークアクセス命令を受信した後、ＷＬＡＮアクセスネットワークはＷＬＡＮ  ＵＥと対応する移動体通信ネットワーク間の切断やアクセスオペレーションを完了する。
【００６９】
ステップ６０４の要求情報は、ＶＰＬＭＮ、またはＶＰＬＭＮ  ＩＤ、または他のアドレス情報と照会する。例えば、：ホームネットワークが目下のアクセスしている移動体通信ネットワークの全ての情報を保存した時から、ホームネットワークは、要求のソースアドレスが目下のアクセスしている移動体通信ネットワークのアドレスと同じかどうか判定し得る。そして、もし２つのアドレスが同じでないならば、要求は新規選択された移動体通信ネットワークからの認証要求であることを意味する。
【００７０】
実際、ステップ６０４での、代替ケースは、ホームネットワークは要求が新規選択された移動体通信ネットワークからの認証要求かどうか判定することが必要ないことであり、直接、受信された認証要求に認証を実行する。
【００７１】
ステップ６０４では、認証を実行する前に、ホームネットワークは最初に、目下のＷＬＡＮ  ＵＥが複数の接続を同時にアクセスすることを許可されるかどうかか判定し得る。そこで、判定はオペレーターによって予め構成されたデータや、ユーザーの加入情報のデータに基づかれる。構成されたデータは、ネットワークがＷＬＡＮ  ＵＥに複数の接続を許すかどうか、ネットワークが或る特徴のユーザーに複数の接続を持つことを許すかどうか、または、ネットワークが他の或るユーザーに複数の接続を持つことを禁止するかどうか、を含むかもしれない、；その上、或るＶＰＬＭＮへの複数の接続が禁止されるかどうか、もしそうならば、これらの環境下のＶＰＬＭＮのリストが必要とされる。もし各々のユーザーにより判定が実行されると、対応するパートナーはユーザー加入情報を必要とし、ユーザーが異なったＶＰＬＭＮからの多数の接続アクセスを許可するかどうか、許可された複数の接続がＨＰＬＵＮ、そして同時接続許可最大値以内であるか等を含むかもしれない。
【００７２】
もし目下のＷＬＡＮ  ＵＥが同時に一つのＶＰＬＭＮ接続だけにアクセスすることを許可されると、ステップ６０５と６０４で新規選択されたプロセスは２つのケースに分けられる、：
【００７３】
或るケースでは、ホームネットワークが先の移動体通信ネットワークに切断メッセージを送信し、先の移動体通信ネットワークと目下のＷＬＡＮ  ＵＥ間の先の接続を切断し、それから新規移動体通信ネットワークからの認証要求に対し、認証を実行する。この場合、ＷＬＡＮアクセスネットワークは、認証結果により新規移動体通信ネットワークにアクセスするかどうか決定する。そして、次に、以降のオペレーションを完了し、それからネットワークを再選択している当該フローを完了する。つまり、もし認証が失敗すれば、アクセス失敗メッセージがＷＬＡＮ  ＵＥに返信され、そして失敗理由を含むかもしれないだろう、；もし認証が成功すれば、ＷＬＡＮアクセスネットワークはＷＬＡＮ  ＵＥと新規移動体通信ネットワーク間の通常の接続をセットアップし、ＷＬＡＮアクセスネットワークと新規移動体通信ネットワーク間の対応する料金関係を確立する、このようにして、移動体通信ネットワークを再選択するＷＬＡＮ  ＵＥの手順を完了する。
【００７４】
他のケースでは、ホームネットワークは直接、新規移動体通信ネットワークからの認証要求に対し認証を実行し、そして認証結果と対応する認証情報により目下のＷＬＡＮ  ＵＥによって最終的にアクセスされるため、移動体通信ネットワークを決定し、それからホームネットワークはＷＬＡＮアクセスネットワークに認証結果を送信する。ＷＬＡＮアクセスネットワークは受信された信号により、以降の切断と／またはアクセスオペレーションを完了する。この場合、ＷＬＡＮアクセスネットワークの以降のオペレーションは、更に３つのケースに分けられる、：
【００７５】
ａ）新規移動体通信ネットワークからの認証要求に対する、ホームネットワークによって実行された認証が失敗する。この場合、ホームネットワークは失敗が目下のＷＬＡＮ  ＵＥに対する認証の失敗であるかどうかの差異を認めなければならず、失敗理由に関し、判定され得る。もし失敗が目下のＷＬＡＮ  ＵＥに対する認証の失敗ならば、ホームネットワークはＷＬＡＮ  ＵＥと新規移動体通信ネットワーク間の接続のセットアップを拒絶するかもしれない、そして同時にＷＬＡＮ  ＵＥと先の移動体通信ネットワーク間の接続を切断するかもしれない。あるいは、ホームネットワークはＷＬＡＮ  ＵＥと新規移動体通信ネットワーク間の接続セットアップを拒絶し得るだけでなく、；言い換えれば、ホームネットワークはＷＬＡＮ  ＵＥと新規移動体通信ネットワーク間の接続セットアップを拒絶し得る、そして、同時にもう一度、目下のＷＬＡＮ  ＵＥに認証を実行させるため、先の移動体通信ネットワークに要求し得る。
【００７６】
さもなければ、ホームネットワークはＷＬＡＮ  ＵＥと新規移動体通信ネットワーク間の接続セットアップの拒絶のみし得、ＷＬＡＮ  ＵＥと先の移動体通信ネットワーク間の接続を維持する。あるいは、ホームネットワークは、もう一度新規移動体通信ネットワークからの認証要求に対し、認証の実行も、し得る。
【００７７】
ｂ）ホームネットワークは新規移動体通信ネットワークを介して、認証要求がネットワークアクセス規則や予めセットされた加入情報によって通過することを許可されるかどうか判定する。例えば、予めセットされたネットワークアクセス規則が、一つの移動体通信ネットワークをアクセスした後、同時に他の移動体通信ネットワークへのアクセスを許可しないことを含でいると、移動体通信ネットワークを介して認証要求を通過することは許可されないだろう。他の例では、ユーザー加入情報が、アクセスしている複数のアクセスネットワークが同時に許可されないことを通知し、それから新規移動体通信ネットワークからの認証要求を通過することは許可されないだろう。つまり、ホームネットワークは、ＷＬＡＮ  ＵＥの実状により、同時に二つの移動体通信ネットワークにアクセスすることをＷＬＡＮ  ＵＥに対し、禁止し得る。
【００７８】
ｃ）ＷＬＡＮ  ＵＥの認証は成功する。この場合、ホームネットワークは新規移動体通信ネットワークにアクセス許可メッセージを送信し、それから、先の移動体通信ネットワークに切断メッセージを送信する。具体的には、ホームネットワークは最初にアクセス許可メッセージを送信し、それから、切断メッセージを送信し得る。あるいは、同時にアクセス許可メッセージと切断メッセージの送信も、し得る。あるいは、ホームネットワークは、新規移動体通信ネットワークにアクセス許可メッセージだけ送信し得る。
【００７９】
上記ｃのケースによれば、ＷＬＡＮアクセスネットワークのプロセスは、三つのケースをも含む：
【００８０】
ｃ１）ＷＬＡＮアクセスネットワークが最初に新規移動体通信ネットワークからアクセス許可メッセージを受信すれば、ＷＬＡＮアクセスネットワークは課金情報を収集し、先の移動体通信ネットワークに課金情報を送信する、それから目下のＷＬＡＮ  ＵＥと先の移動体通信ネットワーク間のネットワーク接続を切断する、；同時に、ＷＬＡＮアクセスネットワークは目下のＷＬＡＮ  ＵＥと新規移動体通信ネットワーク間の通常のネットワーク接続をセットアップし、新規移動体通信ネットワークと対応する課金関係を確立し、以降の課金情報は送信されることになる、このように、ＷＬＡＮ  ＵＥのオペレーションを再選択するネットワークは完了する。
【００８１】
ｃ２）ＷＬＡＮアクセスネットワークが先の移動体通信ネットワークから切断メッセージを受信すれば、ＷＬＡＮアクセスネットワークは課金情報を収集し、直接、先の移動体通信ネットワークへ課金情報を送信し得る、それから目下のＷＬＡＮ  ＵＥと先の移動体通信ネットワークを切断し、次に、新規移動体通信ネットワークからの認証結果を待機する。認証結果を受信した後、ＷＬＡＮアクセスネットワークは目下のＷＬＡＮ  ＵＥと新規移動体通信ネットワーク間の通常のネットワーク接続をセットアップし、新規移動体通信ネットワークと対応する課金関係を確立する、このように、以降の課金情報は新規移動体通信ネットワークに送信されることになり、そして、ＷＬＡＮ  ＵＥのオペレーションを再選択するネットワークは完了する。
【００８２】
ＷＬＡＮアクセスネットワークはまた、最初に新規移動体通信ネットワークから認証結果を待機し得る。そして認証結果を受信した後、ＷＬＡＮアクセスネットワークは課金情報を収集し、先の移動体通信ネットワークに送信する、それから、目下のＷＬＡＮ  ＵＥと先の移動体通信ネットワーク間のネットワーク接続を切断する、同時に、ＷＬＡＮアクセスネットワークは通常のネットワーク接続と、目下のＷＬＡＮ  ＵＥと、そして新規移動体通信ネットワークと対応する課金関係をセットアップする、このように、以降の課金情報は新規移動体通信ネットワークに送信されることになり、それから、ＷＬＡＮ  ＵＥのオペレーションを再選択するネットワークを完了する。
【００８３】
ｃ３）ＷＬＡＮアクセスネットワークが認証失敗のため発生した切断信号を受信すれば、ＷＬＡＮアクセスネットワークは最初、課金情報を収集し、先の移動体通信ネットワークに送信する、それから目下のＷＬＡＮ  ＵＥと先の移動体通信ネットワーク間のネットワーク接続を切断する、それから新規移動体通信ネットワークからの認証結果を待機する、；アクセス許可メッセージが受信されれば、対応するオペレーションはケースｃ１により実行されるだろう、；認証結果が受信されないならば、もう一度認証プロセスの実行を試みる。
【００８４】
目下のＷＬＡＮ  ＵＥが同時に多数のＶＰＬＭＮ接続のアクセスを許可されると、例えば、目下のＷＬＡＮ  ＵＥはＷＬＡＮ−ＶＰＬＭＮ１−ＨＰＬＭＮの接続をセットアップし、同時に、ＷＬＡＮ−ＶＰＬＭＮ２−ＰＬＭＮの接続をもセットアップする。ここで、ホームネットワークや目下のＷＬＡＮ  ＵＥのＷＬＡＮアクセスネットワークはユーザー加入情報か、ネットワークセッティングか、ユーザー選択により既存の接続を切断するかどうか決定するだろう。既存の接続を切断しないと決定すれば、一方、ＡＡＡは接続が複数接続の範囲内かどうか判定するだろう、もしそうならば、ＡＡＡは通常の認証を実行するだろう、そして新規接続のため認証オペレーションをアクセスし、認証が成功した後、ＷＬＡＮに対し、ＷＬＡＮ  ＵＥにアクセスすることを通知する。他方、既存の接続の使用継続を確認するオペレーションを実行する必要がある。このオペレーションは、複数の方法で完了され得る、例えば、ａ）は目下のＷＬＡＮ  ＵＥがアクセスしている移動体通信ネットワークを介して、ＷＬＡＮ  ＵＥに再認証を実行する、； ｂ）は本来、複数の接続が存在していることを目下のＷＬＡＮ  ＵＥに通知し、ここで、通知は確立した接続か、新規に確立した接続か、またはネットワークとＷＬＡＮ  ＵＥ間の他の接続を介して、送信され得る、そして目下の接続総数と／または選択してアクセスされたＶＰＬＭＮのリストのような特定の接続選択等は通知情報で通知され得る、；ｃ）は何もしない。
【００８５】
複数の接続値が予めセットされており、ＷＬＡＮ  ＵＥによって確立する新規接続が確立した後に、接続数が複数接続最大値を上回ると、新規接続の要求は拒絶されるだろう、；または、ユーザーは除去する接続の選択を促されるだろう、即ち、目下の確立した接続の中から除去する接続を選択する。ここで、ネットワークは対応するアクセスされた在圏移動体通信ネットワークを切断し得るか、またはユーザーの応答により新規選択された在圏移動体通信ネットワークを拒絶し得る、そしてネットワークは除去する接続を指定し、ユーザー確認をし得る。
【００８６】
上記スキームにおいて、移動体通信ネットワークとＷＬＡＮ  ＵＥ間の接続を切断し、： サービス接続や、課金情報の固定アカウント等を切断すると、特定のプロセスは、ＷＬＡＮ  ＵＥとＷＬＡＮ  ＵＥに接続している移動体通信ネットワーク間の接続を切断する既存手順と正確に同じである、ステップ、を更に含む。
【００８７】
上記スキームで、新規移動体通信ネットワークからのアクセス許可メッセージを受信した後、ＷＬＡＮアクセスネットワークは最初にＷＬＡＮ  ＵＥと新規移動体通信ネットワーク、例えばリソース配置、パラメータ構成等が完了している新規移動体通信ネットワーク、の各々の準備オペレーションをし得る、そしてＷＬＡＮ  ＵＥと新規移動体通信ネットワーク間の接続をセットアップし、接続状態は未起動のままセットされる。ＷＬＡＮ  ＵＥとアクセスした移動体通信ネットワーク間の接続を切断した後、ＷＬＡＮ  ＵＥと新規移動体通信ネットワーク間の確立された接続はすぐ起動することになり、このように、ユーザーサービス接続の切断時間は削減し得る。
【００８８】
図７は同時に３つのＶＰＬＭＮと接続している、或るＷＬＡＮアクセスネットワーク状態を示す。もしＷＬＡＮがＷＬＡＮアクセスネットワークを介して、ＶＰＬＭＮ１にアクセスしたならば、目下のＷＬＡＮ  ＵＥはＶＰＬＭＮ１からＶＰＬＭＮ２へ転換を望む。そこで、ＶＰＬＭＮ１は先の３ＧＰＰ  ＡＡＡエージェントと一致し、ＶＰＬＭＮ２は新規３ＧＰＰ  ＡＡＡエージェントと一致する。そこで、アクセスするために移動体通信ネットワークを再選択しているＷＬＡＮ  ＵＥのプロセスを、いくつかの実施形態と図７に言及し、以下により詳細に例示しよう。
【００８９】
＜実施形態１＞：
本実施形態では、ＶＰＬＭＮ２から認証要求を受信した後、ホームネットワークは直接、認証オペレーションを実行する、；その上、認証が成功した後、ホームネットワークは最初にＶＰＬＭＮ２へアクセス許可メッセージを送信し、それから、ＶＰＬＭＮ１に切断メッセージを送信する。そのため、ＷＬＡＮアクセスネットワークは、最初にアクセス許可メッセージを受信するだろう。その上、本実施形態では、目下のＷＬＡＮ  ＵＥは同時に１つの接続のみアクセスすることを許可される、；この場合、移動体通信ネットワークを再選択しているＷＬＡＮ  ＵＥのプロセスは以下のステップ、を含む、：
【００９０】
ステップ１１：目下のＷＬＡＮ  ＵＥはＶＰＬＭＮ２のアクセスが必要であることを決定し、ドメイン名またはＶＰＬＭＮ２のＩＤを確認する。
【００９１】
ステップ１２：ＷＬＡＮ  ＵＥはＶＰＬＭＮ１で既存の接続を確認せずに、ＷＬＡＮアクセスネットワークにアクセス認証要求を送信する、即ち、ＷＬＡＮ  ＵＥはＷＬＡＮアクセスネットワークに認証スタートパケットＥＡＰｏＬ−Ｓｔａｒｔを送信する。
【００９２】
ステップ１３−１４：アクセス認証要求を受信すると、ＷＬＡＮアクセスネットワークはＷＬＡＮアクセスネットワークとＷＬＡＮ  ＵＥ間でアクセス認証手順を開始する。具体的には、ＷＬＡＮアクセスネットワークは、目下のＷＬＡＮ  ＵＥのユーザー名を要求するため、ＷＬＡＮ  ＵＥにユーザーＩＤパケットＥＡＰｏＬ−Ｒｅｑｕｅｓｔ（Ｉｄｅｎｔｉｔｙ）を送信する、；要求パケットを受信後、ＷＬＡＮ  ＵＥはＷＬＡＮアクセスネットワークに、ユーザーＩＤ応答パケットＥＡＰｏＬ−Ｒｅｓｐｏｎｓｅ（Ｉｄｅｎｔｉｔｙ）を返信する、そしてＮＡＩフォーマットでユーザーＩＤフィールドを運ぶ。そこで、ユーザーＩＤフィールドはネットワーク選択情報を運ぶ、；パケットはこの情報がネットワーク再選択のためであることを確認するため、ＩＤ情報を運び得る。
【００９３】
ステップ１５：ＷＬＡＮアクセスネットワークは、目下のＷＬＡＮ  ＵＥが、要求で、ＶＰＬＭＮ２のアドレス情報やＩＤ情報により、ＶＰＬＭＮ２へのアクセスの選択を確認し、ＶＰＬＭＮ２は目下のＷＬＡＮと接続する、それからＷＬＡＮアクセスネットワークはＷＬＡＮ  ＵＥからのアクセス認証要求を転送し、それからアクセス認証要求はＷＬＡＮ  ＵＥのホームネットワークに転送される、そして次に認証手順がホームネットワークによって実行される、具体的には、すべての認証オペレーションがホームネットワークでＡＡＡサーバーによって完了される。
【００９４】
ステップ１６：目下のＷＬＡＮ  ＵＥのホームネットワークが認証要求を受信した後、目下のＷＬＡＮ  ＵＥがＶＰＬＭＮ１に接続した時から、対応する接続情報はホームネットワークに存在し、ホームネットワークは、ＶＰＬＭＮ２からの認証要求が既存の情報か、認証要求で伝えた移動体通信ネットワークＩＤにより新規選択されたモバイルオペレーションネットワークからの認証要求であることを判定及び確認する、そしてホームネットワークは直接、ＶＰＬＭＮ２からの認証要求に対し認証を実行する。
【００９５】
このステップにおいて、ホームネットワークは同時に複数のＶＰＬＭＮにアクセスすることを目下のＷＬＡＮ  ＵＥが許可されるかどうか判定することが必要である、もしそうならば、ホームネットワークは以降のステップで切断や先の接続の維持ができる、；さもなければ、先の接続は切断するだろう。本実施形態において、目下のＷＬＡＮ  ＵＥは複数のＶＰＬＭＮにアクセスすることが許可されないので、ＶＰＬＭＮ１とＷＬＡＮ  ＵＥは以降のステップで切断されるだろう。
【００９６】
ステップ１７：ＷＬＡＮ  ＵＥの認証が失敗すると、ＶＰＬＭＮ２にアクセス拒絶メッセージが送信されるだろう、；または、代わりに再認証メッセージがＶＰＬＵＮ１に送信され、アクセス拒絶メッセージがホームネットワークによってＶＰＬＭＮ２に送信されるだろう。ＶＰＬＭ２からアクセス拒絶メッセージを受信した後、ＷＬＡＮネットワークは当該要求を開始しているＷＬＡＮ  ＵＥに認証が失敗したことを通知し、それから、ネットワーク再選択の当該プロセスを完了する。そこで、アクセス拒絶メッセージは拒絶理由、例えば拒絶理由内容、を運ぶ。
【００９７】
もしホームネットワークが、ネットワークアクセス規則や予めセットされるユーザー加入情報により、ＶＰＬＭＮ２から以降の目下のＷＬＡＮ  ＵＥの認証要求を拒絶することを確認すれば、例えば、許可されていないＷＬＡＮ  ＵＥによって同時にアクセスしている複数移動体通信ネットワークのアクセス規則、または許可されていないＷＬＡＮ  ＵＥによってＶＰＬＭＮ２にアクセスする等ならば、ホームネットワークはＶＰＬＭＮ２にアクセス拒絶メッセージを送信する、そして、ホームネットワークとＶＰＬＭＮ１間の接続は影響を受けないだろう。ＶＰＬＭＮ２からアクセス拒絶メッセージを受信した後、ＷＬＡＮアクセスネットワークは再選択している移動体通信ネットワークの認証が失敗したことをＷＬＡＮ  ＵＥに通知し、それからネットワーク再選択の当該プロセスを完了する。
【００９８】
ホームネットワークによりＷＬＡＮ  ＵＥの承認が成功すると、ステップ１８へ進む。本実施形態において、ホームネットワークによるＷＬＡＮ  ＵＥに対する認証は成功すると考える。
【００９９】
ステップ１８：ホームネットワークはＶＰＬＭＮ２へアクセス許可メッセージを送信し、ネットワークアクセス規則やユーザー加入情報により、ＷＬＡＮ  ＵＥが同時に１つの接続だけアクセスを許可してから、その後ホームネットワークはＶＰＬＭＮ１に拒絶メッセージを送信する。
【０１００】
最初にＶＰＬＭＮ２からアクセス許可メッセージを受信した後、ＷＬＡＮアクセスネットワークは課金情報を収集し、それからＶＰＬＭＮ１へ送信する、そして次に目下のＷＬＡＮ  ＵＥとＶＰＬＭＮ１間の接続を切断する、；そして同時に、ＷＬＡＮアクセスネットワークはＷＬＡＮ  ＵＥとＶＰＬＭＮ２間の通常のネットワーク接続をセットアップし、ＶＰＬＭＮ２と対応する課金関係を確立し、このように以降の課金情報をＶＰＬＭＮ２に送信し、ＷＬＡＮ  ＵＥのオペレーションネットワーク再選択のプロセスが完了される。
【０１０１】
＜実施形態２＞：
この実施形態では、ＶＰＬＭＮ２から認証要求を受信した後、ホームネットワークは直接、認証オペレーションを実行する、； そして、認証が成功した後、ホームネットワークはＶＰＬＭＮ２へアクセス許可メッセージを送信し、同時にＶＰＬＵＮ１に切断メッセージを送信する、；それから、ＷＬＡＮアクセスネットワークは最初に、アクセス許可メッセージを受信する。本実施形態において、目下のＷＬＡＮ  ＵＥは１つの接続だけＷＬＡＮ  ＵＥとアクセスすることを許可されるか、ＷＬＡＮ  ＵＥは既存接続から新規接続に転換することを指示する。この場合、本実施形態により移動体通信ネットワークを再選択しているＷＬＡＮ  ＵＥの手順は、基本的に実施形態１と同様であるが、ステップ２８は実施形態１のステップ１８と異なる。
【０１０２】
ステップ２１〜２７：これらのステップは実施形態１によるステップ１１〜１７と正確に同じである。
【０１０３】
ステップ２８：ホームネットワークはＶＰＬＭＮ２にアクセス許可メッセージを送信し、同時にＶＰＬＭＮ１に切断メッセージを送信する。
【０１０４】
＜実施形態３＞：
本実施形態では、ＶＰＬＭＮ２から認証要求を受信した後、ホームネットワークは直接、認証オペレーションを実行し、認証は成功する；その上、認証が成功した後、ホームネットワークはＶＰＬＭＮ２にアクセス許可メッセージを送信し、同時にＶＰＬＭＮ１に切断メッセージを送信する、；それから、ＷＬＡＮアクセスネットワークは、最初に切断メッセージを受信する。本実施形態において、目下のＷＬＡＮ  ＵＥは１つの接続だけアクセスすることを許可されるか、ＷＬＡＮ  ＵＥは既存接続から新規接続へ転換することを指示する。この場合、本実施形態で移動体通信ネットワークを再選択しているＷＬＡＮ  ＵＥの手順は基本的に同様であるが、ステップ３８と３９は実施形態１のステップ１８と１９と異なる。
【０１０５】
ステップ３１〜３７：これらのステップは実施形態１によるステップ１１〜１７と正確に同じである。
【０１０６】
ステップ３８：ホームネットワークはＶＰＬＭＮ２にアクセス許可メッセージを送信し、同時にＶＰＬＭＮ１に切断メッセージを送信する。
【０１０７】
ステップ３９：最初にＶＰＬＭＮ１から切断メッセージを受信した後、ＷＬＡＮアクセスネットワークはＶＰＬＭＮ２からアクセス許可メッセージを待機し、そしてアクセス許可メッセージを受信した後、ＷＬＡＮアクセスネットワークは課金情報を収集し、ＶＰＬＭＮ１に送信する、それから目下のＷＬＡＮ  ＵＥとＶＰＬＭＮ１間の接続を切断する、；次に、ＷＬＡＮアクセスネットワークはＷＬＡＮ  ＵＥとＶＰＬＭＮ２に通常のネットワーク接続のセットアップを行い、ＶＰＬＭＮ２と対応する課金関係を確立する、このようにして、以降の課金情報をＶＰＬＭＮ２に送信するだろう、そしてＷＬＡＮ  ＵＥのオペレーションネットワーク再選択のプロセスは完了する。
【０１０８】
＜実施形態４＞：
本実施形態では、ＶＰＬＭＮ２から認証要求を受信した後、ホームネットワークは直接認証オペレーションを実行し、認証は成功する、；その上、認証が成功した後、ホームネットワークはＶＰＬＭＮ２にアクセス許可メッセージを送信し、同時にＶＰＬＭＮ２に切断メッセージを送信する、；ＷＬＡＮアクセスネットワークは、認証失敗により発生した、切断メッセージを受信する。本実施形態では、目下のＷＬＡＮ  ＵＥは１つの接続だけアクセスすることを許可されるか、ＷＬＡＮ  ＵＥは既存接続から新規接続へ転換を指示する。この場合、本実施形態で移動体通信ネットワークを再選択しているＷＬＡＮ  ＵＥの手順、基本的に実施形態１と同じであるが、ステップ４８と４９が実施形態１のステップ１８と１９と異なる。
【０１０９】
ステップ４１〜４７：これらのステップは実施形態１によるステップ１１〜１７と正確に同じである。
【０１１０】
ステップ４８：ホームネットワークはＶＰＬＭＮ２にアクセス許可メッセージを送信し、同時にＶＰＬＭＮ１に切断メッセージを送信する。
【０１１１】
ステップ４９：ＷＬＡＮアクセスネットワークがＶＰＬＭＮ１から切断メッセージを受信した後、メッセージで運んだ理由の内容は、或る移動体通信ネットワークが重複接続するため切断することが必要であること、を示し、ＷＬＡＮアクセスネットワークは最初に課金情報を収集し、それをＶＰＬＭＮ１に送信する、次に、目下のＷＬＡＮ  ＵＥとＶＰＬＭＮ１間の接続を切断し、それからＶＰＬＭＮ２からの認証結果を待機する、；ＶＰＬＭＮ２からアクセス許可メッセージを受信した後、ＷＬＡＮ  アクセスネットワークはＷＬＡＮ  ＵＥとＶＰＬＭＮ２に通常のネットワーク接続をセットアップし、それからＶＰＬＭＮ２と対応する課金関係を確立する、このようにして、以降の課金情報はＶＰＬＭＮ２に送信されるだろう、そしてＷＬＡＮ  ＵＥのオペレーションネットワーク再選択のプロセスは完了する。ここでは、ＶＰＬＭＮ２からの認証結果が受信されないならば、ＷＬＡＮアクセスネットワークは認証を再度試行するかもしれない、そして予めセットされた再度の試行時間や試行期間に達すると、認証は失敗する。
【０１１２】
＜実施形態５＞：
本実施形態では、ＶＰＬＭＮ２から認証要求を受信した後、ホームネットワークは最初、ＶＰＬＭＮ１に切断メッセージを送信し、それからＶＰＬＭＮ２からの認証要求に対し、認証を実行する。この実施形態では、目下のＷＬＡＮ  ＵＥは同時に１つの接続のみアクセスすることを許可されるか、ＷＬＡＮ  ＵＥは既存接続から新規接続への転換を指示する。この場合、移動体通信ネットワークを再選択しているＷＬＡＮ  ＵＥの手順は以下のステップ、を含む：
【０１１３】
ステップ５１〜５６：これらのステップは実施形態１によるステップ１１〜１６と正確に同じである。
【０１１４】
ステップ５７：ホームネットワークはＶＰＬＭＮ１と目下のＷＬＡＮ  ＵＥ間の接続を切断する要求をしているＶＰＬＭＮ１に切断メッセージを送信する、；ホームネットワークからＶＰＬＭＮ１を介して、送信された切断メッセージを受信した後、ＷＬＡＮアクセスネットワークはＶＰＬＭＮ１と切断し、：課金情報を収集し、それをＶＰＬＭＮ１に送信する、そしてネットワーク接続、シグナリング接続、そして目下のＷＬＡＮ  ＵＥとＶＰＬＭＮ１間のサービス接続を切断するが、目下のＷＬＡＮ  ＵＥとＶＰＬＭＮ１間のワイアレス接続は切断しない、；そして、ＶＰＬＭＮ２からの認証要求に対し認証を実行する、ことを、特に含む。
【０１１５】
ステップ５８：ＶＰＬＭＮ２から認証結果を受信した後、ＷＬＡＮアクセスネットワークは認証が成功するかどうか判定し、もし認証が成功すれば、ＷＬＡＮアクセスネットワークは目下のＷＬＡＮ  ＵＥとＶＰＬＭＮ２間の信号関係、課金関係、そして認証関係を確立する、そして目下のＷＬＡＮ  ＵＥとＶＰＬＭＮ２間のサービス接続をセットアップし、ネットワーク再選択プロセスは完了する。さもなければ、ＷＬＡＮアクセスネットワークは目下のＷＬＡＮ  ＵＥに認証が失敗したことを通知し、認証失敗メッセージが失敗理由内容を運ぶかもしれない。
【０１１６】
＜実施形態６＞：
本実施形態において、目下のＷＬＡＮ  ＵＥはユーザー加入情報により複数のＶＰＬＭＮにアクセスすることを許可され、ＷＬＡＮ  ＵＥによって選択されたＶＰＬＭＮ２はＷＬＡＮ  ＵＥがアクセスしたい２番目のＶＰＬＭＮとなる。ＶＰＬＭＮ２からの認証要求を受信した後、ホームネットワークは直接、認証を実行し、認証は成功する。そして認証が成功した後、ホームネットワークは目下のＷＬＡＮ  ＵＥの判定により、複数接続アクセスの実行を許可されているか確認し、それからホームネットワークはＶＰＬＭＮ２にアクセス許可メッセージを送信する、；その後、ＷＬＡＮアクセスネットワークがＷＬＡＮ  ＵＥとＶＰＬＭＮ２間の接続を起動し、異なったＩＰアドレスかＷＬＡＮ  ＵＥによって使用されたＮＡＩによりＶＰＬＭＮ１かＶＰＬＭＮ２にＷＬＡＮ  ＵＥのデータを配布する。ＷＬＡＮ  ＵＥはユーザーか、ユーザーアプリケーションプログラムの選択により異なったＶＰＬＭＮに対応するサービスデータを送信する。このように、本実施形態による移動体通信ネットワークを再選択しているＷＬＡＮ  ＵＥの手順は、ステップ６８と６９が実施形態１のステップ１８と１９と異なることを除き、実施形態１と基本的に同じである。
【０１１７】
ステップ６１〜６７：これらのステップは実施形態１によるステップ１１〜１７と正確に同じである。
【０１１８】
ステップ６８：目下のＷＬＡＮ  ＵＥが同時に複数接続にアクセスすることを許可されるので、ホームネットワークがＶＰＬＭＮ２にアクセス許可メッセージを送信する場合、ＶＰＬＭＮ１に切断メッセージを送信する必要はない。
【０１１９】
ステップ６９：ＶＰＬＭＮ２からアクセス許可メッセージを受信した後、ＷＬＡＮアクセスネットワークはＷＬＡＮ  ＵＥとＶＰＬＭＮ２に通常のネットワーク接続をセットアップし、ＶＰＬＭＮ２と対応する課金関係を確立する、このようにして、以降の課金情報はユーザーＩＤ情報によりＶＰＬＭＮ１とＶＰＬＭＮ２に送信されるだろう、ここで、ユーザーＩＤ情報はＮＡＩ、ＩＰアドレス等を含む。例えば、もしユーザーデータがＶＰＬＭＮ１に属するＩＤアドレスを使用すれば、対応する課金情報はＶＰＬＭＮ１に送信されるだろう、；ユーザーデータＩＤ がＶＰＬＭＮ２であれば、対応する課金情報はＶＰＬＭＮ２に送信され、複数のＶＰＬＭＮネットワークをサポートしているＷＬＡＮ  ＵＥのプロセスは完了する。ここで、もしＶＰＬＭＮ２からの認証結果を受信しないならば、ＷＬＡＮアクセスネットワークは再度、認証を試行するかもしれない、そして試行時間や試行期間は予めセットされ得る。予めセットされた試行時間や試行期間に達すると、認証は失敗する。
【０１２０】
＜実施形態７＞：
本実施形態では、目下のＷＬＡＮ  ＵＥはユーザー加入情報より多数のＶＰＬＭＮにアクセスすることを許可され、最大同時接続値は予めセットされ、ＷＬＡＮ  ＵＥによって選択されたＶＰＬＭＮはＷＬＡＮ  ＵＥがアクセスしたｎ番目のＶＰＬＭＮであり、ｎが予めセットされたＷＬＡＮ  ＵＥの最大同時接続数値を上回り、ＶＰＬＭＮからの認証要求を受信した後、ホームネットワークは直接拒絶し、拒絶理由がアクセス制限である拒絶理由を説明し得る、そして或る既存接続がＷＬＡＮ  ＵＥによって除去されることが必要である、；ホームネットワークはまた認証を直接受信することもでき、認証が成功した後、除去する接続を選択することをＷＬＡＮ  ＵＥに指示する。
【０１２１】
ステップ７１〜７７：これらのステップは実施形態１によるステップ１１〜１７と正確に同じである。
【０１２２】
ステップ７８：ホームネットワークはｎ番目の接続が最大同時接続値を上回るかどうか判定し、もし上回らなければ、実施形態６のステップ６８、６９に記述されたステップに進む、；さもなければ、ホームネットワークは要求を拒絶するか、受信するか、選択し、ユーザー加入情報か、ネットワーク構成により認証を実行し、それから或る既存の接続を除去することをＷＬＡＮ  ＵＥに指示する。
【０１２３】
＜実施形態８＞：
本実施形態では、目下のＷＬＡＮ  ＵＥはユーザー加入情報により同時に複数のＶＰＬＭＮにアクセスすることを許可されるが、ＷＬＡＮ  ＵＥは或る既存接続から他の新規接続に転換すると考える。この場合、既存接続は最初に除去され得る、それから新規接続は、実施形態４に記述されるように、確立される、；代わりに、新規接続は最初にセットアップを試み、新規接続は良好にセットアップされ、それから先の接続は、実施形態１、２そして３で記述しているように、除去される、；言い換えれば、新規接続がセットアップされる間、先の接続を除去することを信号でネットワークに指示する。
【０１２４】
上述されたことは、単に本発明の比較的好ましい実施形態であり、発明保護範囲を制限することを目的としない。
【図面の簡単な説明】
【０１２５】
【図１】ローミングの場合における、ＷＬＡＮと３ＧＰＰシステムのインターワーキングネットワークのネットワーク構造を例示している概略図。
【図２】ノンローミングの場合における、ＷＬＡＮと３ＧＰＰシステムのインターワーキングネットワークのネットワーク構造を例示している概略図。
【図３】本発明の実行例によりアクセスするために、移動体通信ネットワークを選択するＷＬＡＮ  ＵＥのプロセスを例示しているフローチャート。
【図４】本発明の他の実行例によりアクセスするために、移動体通信ネットワークを選択するＷＬＡＮ  ＵＥのプロセスを例示しているフローチャート。
【図５】本発明による方法を例示しているフローチャート。
【図６】本発明の特定の実行例による方法を例示しているフローチャート。
【図７】複数の在圏ネットワークでＷＬＡＮが接続したネットワークの構造を例示している概略図。
【国際調査報告】
2007522714.tif 000010
2007522714.tif 000011
2007522714.tif 000012
2007522714.tif 000013